(57)【要約】      （修正有）【課題】ワイヤレス通信システムにおいて電力制限型ユーザ機器（ＵＥ）によってデータを送信する。【解決手段】ＵＥは、１つ又は複数の搬送波において様々なタイプのデータを送信することができるとともに、送信電力を制限される。ＵＥは、様々なデータ・タイプの優先順位、データが送信される搬送波の優先順位、及び／又は他の基準に基づいて、送信するデータを優先順位付けする。ＵＥは、アップリンクのための少なくとも１つの搬送波において送信するデータを取得し、少なくとも１つの搬送波における送信に関して電力を制限されていることを決定し、少なくとも１つの基準に基づいて、送信するデータを優先順位付けする。ＵＥは、優先順位付けされたデータに自身の利用可能な送信電力を割り当て、優先順位付けされたデータを割り当てられた送信電力で送信する。【選択図】図５
2014171252.tif 000002
【特許請求の範囲】
【請求項１】
ワイヤレス通信のための方法であって、
ユーザ機器（ＵＥ）において、アップリンクのための少なくとも１つの搬送波において送信するデータを取得することと、
前記少なくとも１つの搬送波における送信に関して前記ＵＥが電力を制限されていることを決定することと、
前記ＵＥが電力を制限されていることに応答して、少なくとも１つの基準に基づいて、前記送信するデータを優先順位付けすることと
を備える方法。
【請求項２】
前記ＵＥが電力を制限されていることを決定することは、
前記送信するデータのために必要な送信電力の合計を決定することと、
前記必要な送信電力の合計が、前記ＵＥの利用可能な送信電力を上回ることに基づいて、前記ＵＥが電力を制限されていることを決定することと
を備える、請求項１に記載の方法。
【請求項３】
前記少なくとも１つの基準は、チャネル・タイプ、データ・タイプ、制御データ・タイプ、トラヒック・データ・タイプ、搬送波の優先順位、シグナリング・タイプ、又はそれらの組み合わせを備える、請求項１に記載の方法。
【請求項４】
前記送信するデータを優先順位付けすることは、データ・タイプに基づいて、前記送信するデータを優先順位付けすることを備え、制御データはトラヒック・データよりも高い優先順位を有する、請求項１に記載の方法。
【請求項５】
トラヒック・データと多重化された制御データはトラヒック・データよりも高い優先順位を有する、請求項１に記載の方法。
【請求項６】
前記送信するデータを優先順位付けすることは、制御データ・タイプに基づいて、前記送信するデータを優先順位付けすることを備え、アクノレッジメント／ネガティブ・アクノレッジメント（ACK／NACK）は、チャネル品質インジケータ（CQI）、スケジューリング要求、ランク・インジケータ（RI）、プリコーディング・マトリクス・インジケータ（PMI）、又はそれらの組み合わせよりも高い優先順位を有する、請求項１に記載の方法。
【請求項７】
前記送信するデータを優先順位付けすることは、トラヒック・データ・タイプに基づいて、前記送信するデータを優先順位付けすることを備え、遅延センシティブなトラヒック・データは遅延耐性トラヒック・データよりも高い優先順位を有する、請求項１に記載の方法。
【請求項８】
前記送信するデータを優先順位付けすることは、チャネル・タイプに基づいて、前記送信するデータを優先順位付けすることを備え、制御チャネルのためのデータは、データ・チャネルのためのデータよりも高い優先順位を有する、請求項１に記載の方法。
【請求項９】
前記送信するデータを優先順位付けすることは、シグナリング・タイプに基づいて、前記送信するデータを優先順位付けすることを備え、上位層シグナリングのためのデータは、物理層のためのデータよりも高い優先順位を有する、請求項１に記載の方法。
【請求項１０】
前記上位層シグナリングは、無線リソース制御（RRC）シグナリング、媒体アクセス制御（MAC）シグナリング、又はその両方を備える、請求項９に記載の方法。
【請求項１１】
前記送信するデータは、複数のデータ・タイプのデータを備え、前記方法は、
最も高い優先順位のデータ・タイプから順に、一度に１つのデータ・タイプの前記送信するデータに、利用可能な送信電力を割り当てることを更に備える、請求項１に記載の方法。
【請求項１２】
複数の搬送波が前記アップリンクのために利用可能であり、前記複数の搬送波の中から１つの搬送波が、前記アップリンクにおいて制御データを搬送するために指定される、請求項１に記載の方法。
【請求項１３】
前記送信するデータは、前記複数の搬送波の優先順位に基づいて優先順位付けされ、前記アップリンクにおいて制御データを搬送するために指定された搬送波は、前記複数の搬送波の中で最も高い優先順位を有する、請求項１２に記載の方法。
【請求項１４】
前記少なくとも１つの搬送波は、複数の搬送波を含む、請求項１に記載の方法。
【請求項１５】
前記送信するデータを優先順位付けすることは、前記複数の搬送波の優先順位に基づいて、前記送信するデータを優先順位付けすることを備え、より高い優先順位の搬送波のためのデータは、より低い優先順位の搬送波のためのデータよりも高い優先順位を有する、請求項１４に記載の方法。
【請求項１６】
前記複数の搬送波の優先順位は、各搬送波に関する受信信号品質、各搬送波のための変調及びコーディング・スキーム、各搬送波において送信するデータの優先順位、各搬送波において予想される干渉、各搬送波における負荷、各搬送波において割り当てられたリソースの量、又はそれらの組み合わせに基づいて決定される、請求項１５に記載の方法。
【請求項１７】
前記複数の搬送波に、最も高い優先順位の搬送波から順に一度に１つの搬送波に対し、利用可能な送信電力を割り当てることを更に備える、請求項１５に記載の方法。
【請求項１８】
前記送信するデータは、複数のデータ・タイプのデータを備える、請求項１４に記載の方法。
【請求項１９】
前記送信するデータを優先順位付けすることは、
前記複数のデータ・タイプの優先順位に基づいて、前記送信するデータを優先順位付けすることと、
前記複数の搬送波の優先順位に基づいて、各データ・タイプのデータを優先順位付けすることと
を備える、請求項１８に記載の方法。
【請求項２０】
前記送信するデータを優先順位付けすることは、
前記複数の搬送波の優先順位に基づいて、前記送信するデータを優先順位付けすることと、
前記複数のデータ・タイプの優先順位に基づいて、各搬送波のためのデータを優先順位付けすることと
を備える、請求項１８に記載の方法。
【請求項２１】
前記複数のデータ・タイプの優先順位と前記複数の搬送波の優先順位とに基づいて、利用可能な送信電力を前記送信するデータに割り当てることを更に備える、請求項１８に記載の方法。
【請求項２２】
最も高い優先順位のデータ・タイプから順に、一度に１つのデータ・タイプの前記送信するデータに、利用可能な送信電力を割り当てることと、
前記複数の搬送波の優先順位に基づいて、前記利用可能な送信電力を各データ・タイプのデータに割り当てることと
を更に備える、請求項１８に記載の方法。
【請求項２３】
各搬送波のためのデータに、前記データのために必要な送信電力に基づいて、送信電力を割り当てることを更に備える、請求項１４に記載の方法。
【請求項２４】
前記送信電力を割り当てることは、各搬送波のスケーリング係数に更に基づいて、前記搬送波のためのデータに、送信電力を割り当てることを備える、請求項２３に記載の方法。
【請求項２５】
前記各搬送波のスケーリング係数は、前記搬送波の優先順位、前記搬送波において送信するデータのデータ・タイプ、前記搬送波において送信するデータの優先順位、又はそれらの組み合わせに基づいて決定される、請求項２４に記載の方法。
【請求項２６】
前記送信電力を割り当てることは、前記複数の搬送波において送信するデータのために必要な送信電力の合計、前記ＵＥの利用可能な送信電力、又はその両方に更に基づいて、各搬送波のためのデータに送信電力を割り当てることを備える、請求項２３に記載の方法。
【請求項２７】
前記複数の搬送波の優先順位を伝達するシグナリングを受信することを更に備える、請求項１５に記載の方法。
【請求項２８】
高い優先順位のデータを送信するために前記複数の搬送波のうちの１つを選択することを更に備え、前記選択される搬送波は、高い優先順位の搬送波として指定されている、請求項１５に記載の方法。
【請求項２９】
ワイヤレス通信のための装置であって、
ユーザ機器（ＵＥ）において、アップリンクのための少なくとも１つの搬送波において送信するデータを取得するための手段と、
前記少なくとも１つの搬送波における送信に関して、前記ＵＥが電力を制限されていることを決定するための手段と、
前記ＵＥが電力を制限されていることに応答して、少なくとも１つの基準に基づいて、前記送信するデータを優先順位付けするための手段と
を備える装置。
【請求項３０】
前記送信するデータは複数のデータ・タイプのデータを備え、
最も高い優先順位のデータ・タイプから順に、一度に１つのデータ・タイプの前記送信するデータに、利用可能な送信電力を割り当てるための手段を更に備える、請求項２９に記載の装置。
【請求項３１】
前記少なくとも１つの搬送波は複数の搬送波を備え、前記送信するデータを優先順位付けするための手段は、前記複数の搬送波の優先順位に基づいて、前記送信するデータを優先順位付けするための手段を備え、より高い優先順位の搬送波のためのデータは、より低い優先順位の搬送波のためのデータよりも高い優先順位を有する、請求項２９に記載の装置。
【請求項３２】
前記少なくとも１つの搬送波は複数の搬送波を備え、前記送信するデータは複数のデータ・タイプのデータを備え、前記装置は、
前記複数のデータ・タイプの優先順位と前記複数の搬送波の優先順位とに基づいて、利用可能な送信電力を前記送信するデータに割り当てるための手段を更に備える、請求項２９に記載の装置。
【請求項３３】
前記少なくとも１つの搬送波は複数の搬送波を備え、前記装置は、
各搬送波のためのデータに、前記データのために必要な送信電力と前記搬送波のためのスケーリング係数とに基づいて、送信電力を割り当てるための手段を更に備える、請求項２９に記載の装置。
【請求項３４】
ワイヤレス通信のための装置であって、
ユーザ機器（ＵＥ）において、アップリンクのための少なくとも１つの搬送波において送信するデータを取得し、前記少なくとも１つの搬送波における送信に関して、前記ＵＥが電力を制限されていることを決定し、前記ＵＥが電力を制限されていることに応答して、少なくとも１つの基準に基づいて、前記送信するデータを優先順位付けするように構成された少なくとも１つのプロセッサを備える装置。
【請求項３５】
前記送信するデータは複数のデータ・タイプのデータを備え、前記少なくとも１つのプロセッサは、最も高い優先順位のデータ・タイプから順に、一度に１つのデータ・タイプの前記送信するデータに、利用可能な送信電力を割り当てるように構成される、請求項３４に記載の装置。
【請求項３６】
前記少なくとも１つの搬送波は複数の搬送波を備え、前記少なくとも１つのプロセッサは、前記複数の搬送波の優先順位に基づいて、前記送信するデータを優先順位付けするように構成され、より高い優先順位の搬送波のためのデータは、より低い優先順位の搬送波のためのデータよりも高い優先順位を有する、請求項３４に記載の装置。
【請求項３７】
前記少なくとも１つの搬送波は複数の搬送波を備え、前記送信するデータは複数のデータ・タイプのデータを備え、前記少なくとも１つのプロセッサは、前記複数のデータ・タイプの優先順位と前記複数の搬送波の優先順位とに基づいて、利用可能な送信電力を前記送信するデータに割り当てるように構成される、請求項３４に記載の装置。
【請求項３８】
前記少なくとも１つの搬送波は複数の搬送波を備え、前記少なくとも１つのプロセッサは、各搬送波のためのデータに、前記データのために必要な送信電力と各搬送波のスケーリング係数とに基づいて、送信電力を割り当てるように構成される、請求項３４に記載の装置。
【請求項３９】
少なくとも１つのコンピュータに、ユーザ機器（ＵＥ）において、アップリンクのための少なくとも１つの搬送波において送信するデータを取得させるためのコードと、
前記少なくとも１つのコンピュータに、前記少なくとも１つの搬送波における送信に関して前記ＵＥが電力を制限されていることを決定させるためのコードと、
前記少なくとも１つのコンピュータに、前記ＵＥが電力を制限されていることに応答して、少なくとも１つの基準に基づいて、前記送信するデータを優先順位付けさせるためのコードと
を備えるコンピュータ読取可能媒体を備えるコンピュータ・プログラム製品。
【請求項４０】
ワイヤレス通信のための方法であって、
ユーザ機器（ＵＥ）からの少なくとも１つの搬送波におけるアップリンク送信を受信することと、ここで、前記ＵＥは、電力が制限されており、少なくとも１つの基準に基づいて前記アップリンク送信において送信されるデータを優先順位付けし、
前記アップリンク送信において送信されたデータを復元するために、前記受信したアップリンク送信を処理することと
を備える、方法。
【請求項４１】
前記アップリンク送信において送信されるデータは、複数のデータ・タイプのデータを備え、前記複数のデータ・タイプの優先順位に基づいて優先順位付けされる、請求項４０に記載の方法。
【請求項４２】
前記少なくとも１つの搬送波は複数の搬送波を備え、各データ・タイプのデータは、前記複数の搬送波の優先順位に基づいて優先順位付けされる、請求項４１に記載の方法。
【請求項４３】
前記少なくとも１つの搬送波は複数の搬送波を備え、前記アップリンク送信において送信されるデータは、前記複数の搬送波の優先順位に基づいて優先順位付けされる、請求項４０に記載の方法。
【請求項４４】
前記搬送波における前記ＵＥのための目標受信信号品質を得るために、前記複数の搬送波の各々における前記ＵＥの送信電力を調整することを更に備える、請求項４３に記載の方法。
【請求項４５】
前記複数の搬送波の優先順位を伝達するシグナリングを送信することを更に備える、請求項４３に記載の方法。
【請求項４６】
ワイヤレス通信のための装置であって、
ユーザ機器（ＵＥ）からの少なくとも１つの搬送波におけるアップリンク送信を受信するための手段と、ここで、前記ＵＥは、電力が制限されており、少なくとも１つの基準に基づいて前記アップリンク送信において送信されるデータを優先順位付けし、
前記アップリンク送信において送信されたデータを復元するために、前記受信したアップリンク送信を処理するための手段と
を備える、装置。
【請求項４７】
前記アップリンク送信において送信されるデータは、複数のデータ・タイプのデータを備え、前記複数のデータ・タイプの優先順位に基づいて優先順位付けされる、請求項４６に記載の装置。
【請求項４８】
前記少なくとも１つの搬送波は複数の搬送波を備え、前記アップリンク送信において送信されるデータは、前記複数の搬送波の優先順位に基づいて優先順位付けされる、請求項４６に記載の装置。
【発明の詳細な説明】
【技術分野】
【０００１】
本願は、本願の譲受人に譲渡され、参照によって本願に組み込まれた、２００９年６月１１日出願の“Power Control and Channel Prioritization for Power Limited Users”と題された米国特許仮出願番号第６１／１８６３２６号に対する優先権を主張する。
【０００２】
I.分野
本開示は、一般に通信に関し、特に、ワイヤレス通信システムにおいてデータを送信するための技術に関する。
【背景技術】
【０００３】
II.背景
ワイヤレス通信システムは、例えば音声、ビデオ、パケット・データ、メッセージング、ブロードキャスト等のような様々な通信コンテンツを提供するために幅広く開発されている。これらのワイヤレス通信システムは、利用可能なシステム・リソースを共有することによって複数のユーザをサポートすることができる多元接続システムであることができる。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、及びシングルキャリアＦＤＭＡ（ＳＣ−ＦＤＭＡ）システムを含む。
【０００４】
ワイヤレスシステムは、複数のユーザ機器（ＵＥ）のための通信をサポートすることができる複数の基地局を含むことができる。ＵＥは、ダウンリンク及びアップリンクを介して基地局と通信することができる。ダウンリンク（すなわち、順方向リンク）は基地局からＵＥへの通信リンクを称し、アップリンク（すなわち、逆方向リンク）はＵＥから基地局への通信リンクを称する。
【０００５】
ＵＥは、ダウンリンク及び／又はアップリンクにおいてＵＥにサービス提供するように指定された基地局である、サービス提供基地局から遠く離れた場所にあることがある。ＵＥは、限られた量の送信電力を有し、サービス提供基地局への多大な経路損失を有することがある。そのようなシナリオにおいて、効率的な方式でデータを送信することが望ましい。
【発明の概要】
【０００６】
ワイヤレス通信システムにおいて電力制限型ＵＥによってデータを送信するための技術が、本明細書において説明される。ＵＥは、１つ又は複数の搬送波において様々なタイプのデータを送信することができる。ＵＥは、データ全てのために必要な送信電力がＵＥの利用可能な送信電力を上回る場合、電力が制限されうる。態様において、ＵＥは、様々なデータ・タイプの優先順位及び／又は他の基準に基づいて、送信するデータを優先順位付けすることができる。別の態様において、ＵＥは、データが送信される搬送波の優先順位に基づいて、送信するデータを優先順位付けすることができる。また別の態様において、ＵＥは、様々なデータ・タイプの優先順位及び搬送波の優先順位の両方に基づいて、送信するデータを優先順位付けすることができる。
【０００７】
１つの設計において、ＵＥは、アップリンクのための少なくとも１つの搬送波において送信するデータを取得することができる。ＵＥは、少なくとも１つの搬送波における送信に関して自身が電力を制限されていることを決定することができる。ＵＥは、以下で説明するように、少なくとも１つの基準に基づいて、送信するデータを優先順位付けすることができる。ＵＥは、以下で説明するように、優先順位付けされたデータに自身の利用可能な送信電力を割り当てることができる。ＵＥはその後、優先順位付けされたデータを割り当てられた送信電力で送信することができる。
【０００８】
本開示の様々な態様及び特徴が、以下でより詳細に説明される。
【図面の簡単な説明】
【０００９】
【図１】図１は、ワイヤレス通信システムを示す。
【図２】図２は、典型的なフレーム構成を示す。
【図３】図３は、アップリンクのための典型的な送信構成を示す。
【図４】図４は、複数の搬送波におけるダウンリンク送信及びアップリンク送信を示す。
【図５】図５は、データの優先順位付けを用いてデータを送信するための処理を示す。
【図６】図６は、搬送波の優先順位付けを用いてデータを送信するための処理を示す。
【図７】図７は、データ及び搬送波の優先順位付けを用いてデータを送信するための処理を示す。
【図８】図８は、ワイヤレスシステムにおいてデータを送信するための処理を示す。
【図９】図９は、ワイヤレスシステムにおいてデータを送信するための装置を示す。
【図１０】図１０は、ワイヤレスシステムにおいてデータを受信するための処理を示す。
【図１１】図１１は、ワイヤレスシステムにおいてデータを受信するための装置を示す。
【図１２】図１２は、基地局及びＵＥのブロック図を示す。
【発明を実施するための形態】
【００１０】
［詳細な説明］
本明細書で説明される技術は、例えばＣＤＭＡ、ＴＤＭＡ、ＦＤＭＡ、ＯＦＤＭＡ、ＳＣ−ＦＤＭＡ、及び他のシステムのような様々なワイヤレス通信システムのために用いることができる。「システム」及び「ネットワーク」という用語は、しばしば相互置換性を持って用いられる。ＣＤＭＡシステムは、例えばユニバーサル地上無線アクセス（ＵＴＲＡ）、ｃｄｍａ２０００等のような無線技術を実現することができる。ＵＴＲＡは、広帯域ＣＤＭＡ（ＷＣＤＭＡ（登録商標））及び他の様々なＣＤＭＡを含む。ｃｄｍａ２０００は、ＩＳ−２０００規格、ＩＳ−９５規格、及びＩＳ−８５６規格をカバーする。ＴＤＭＡシステムは、例えばグローバル・システム・フォー・モバイル・コミュニケーション（ＧＳＭ（登録商標））のような無線技術を実現することができる。ＯＦＤＭＡシステムは、例えば次世代ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）等のような無線技術を実現することができる。ＵＴＲＡ及びＥ−ＵＴＲＡは、ユニバーサル・モバイル・テレコミュニケーション・システム（ＵＭＴＳ）の一部である。３ＧＰＰロング・ターム・エボリューション（ＬＴＥ）は、Ｅ−ＵＴＲＡを用いるＵＭＴＳの新リリースであり、ダウンリンクでＯＦＤＭＡを、アップリンクでＳＣ−ＦＤＭＡを用いる。ＵＴＲＡ、Ｅ−ＵＴＲＡ、ＵＭＴＳ、ＬＴＥ、ＬＴＥ−Ａ、及びＧＳＭは、「第３世代パートナーシップ・プロジェクト」（３ＧＰＰ）と名づけられた組織からの文書において説明される。ｃｄｍａ２０００及びＵＭＢは、「第３世代パートナーシップ・プロジェクト２」（３ＧＰＰ２）と名づけられた組織からの文書において説明される。本明細書で説明される技術は、上記のシステム及び無線技術と同様、他のシステム及び無線技術のためにも用いることができる。明確化のために、本技術のある態様がＬＴＥに関して以下で説明され、以下の説明の大部分においてＬＴＥ用語が用いられる。
【００１１】
図１は、ＬＴＥシステム又は他の何らかのシステムであることができるワイヤレス通信システム１００を示す。システム１００は、複数の次世代ノードＢ（ｅＮＢ）及び他のネットワーク・エンティティを含むことができる。簡略化のために、図１には１つのｅＮＢしか示されない。ｅＮＢは、ＵＥと通信するエンティティであることができ、ノードＢ、基地局、アクセス・ポイント等とも称されうる。ｅＮＢは、特定の地理的領域１０２のための通信カバレージを提供することができ、カバレージ・エリア内に位置するＵＥのための通信をサポートすることができる。システム容量を改善するために、ｅＮＢのカバレージ・エリア全体が複数（例えば、３つ）の小さなエリアに分割されうる。各小さなエリアは、それぞれのｅＮＢサブシステムによってサービス提供されうる。３ＧＰＰにおいて、「セル」という用語は、ｅＮＢの最小カバレージ・エリア及び／又はそのカバレージ・エリアにサービス提供しているｅＮＢサブシステムを称することができる。
【００１２】
複数のＵＥがシステム全体に散在しており、各ＵＥは、固定式又は移動式であることができる。簡略化のために、図１には１つのＵＥしか示されない。ＵＥは、モバイル局、端末、アクセス端末、加入者ユニット、局等とも称されうる。ＵＥは、セルラ電話、パーソナル・デジタル・アシスタント（ＰＤＡ）、ワイヤレスモデム、ワイヤレス通信デバイス、ハンドヘルド・デバイス、ラップトップ・コンピュータ、コードレス電話、ワイヤレスローカル・ループ（ＷＬＬ）局、スマートホン、ネットブック、スマートブック等であることができる。
【００１３】
図２は、ＬＴＥにおける周波数分割多重（ＦＤＤ）のための典型的なフレーム構成２００を示す。ダウンリンク及びアップリンクの各々のための送信時間軸が、無線フレームの単位に分割されうる。各無線フレームは、予め定められた持続期間（例えば、１０ミリ秒（ｍｓ））を有することができ、０乃至９のインデクスを有する１０のサブフレームに分割されうる。各サブフレームは、２つのスロットを含むことができる。各スロットは、例えば、（図２に示すような）通常のサイクル・プリフィクスに関して７つのシンボル期間、拡張されたサイクル・プリフィクスに関して６つのシンボル期間というように、Ｌ個のシンボル期間を含むことができる。各サブフレームにおける２Ｌ個のシンボル期間は、０乃至２Ｌ−１のインデクスを割り当てられうる。
【００１４】
ＬＴＥは、ダウンリンクで直交周波数分割多重（ＯＦＤＭ）を用い、アップリンクでシングルキャリア周波数分割多重（ＳＣ−ＦＤＭ）を用いる。ＯＦＤＭ及びＳＣ−ＦＤＭは、周波数範囲を、一般的にトーン、ビン等とも称される複数（ＮＦＦＴ個）の直交サブキャリアに分割する。各サブキャリアは、データを用いて変調されうる。一般に、変調シンボルは、周波数領域においてＯＦＤＭを用いて送信され、時間領域においてＳＣ−ＦＤＭを用いて送信される。隣接サブキャリア間の間隔は一定であることができ、サブキャリアの総数（ＮＦＦＴ）はシステム帯域幅に依存しうる。例えばＮＦＦＴは、１．２５、２．５、５、１０、又は２０メガヘルツ（ＭＨｚ）のシステム帯域幅の場合それぞれ、１２８、２５６、５１２、１０２４、又は２０４８に等しくなりうる。アップリンクにおいて、図２に示すように、各サブフレームのシンボル期間０乃至２Ｌ−１において２Ｌ個のＳＣ−ＦＤＭＡシンボルが送信されうる。ダウンリンクにおいて、（図２には示されないが）各サブフレームのシンボル期間０乃至２Ｌ−１において２Ｌ個のＯＦＤＭシンボルが送信されうる。
【００１５】
図３は、ＬＴＥにおけるアップリンクのための典型的な送信構成３００を示す。リソース・ブロックの数は、アップリンクのための合計ＮＦＦＴ個のサブキャリアを用いて各スロットにおいて定められうる。各リソース・ブロックは、１つのスロット内の１２個のサブキャリアをカバーすることができる。アップリンクのために利用可能なリソース・ブロックは、データ・セクションと制御セクションとに分割されうる。制御セクションは、システム帯域幅の両端において形成され、設定可能なサイズを有することができる。データ・セクションは、制御セクションに含まれないリソース・ブロック全てを含むことができる。
【００１６】
ＵＥ１２０は、制御データをｅＮＢ１１０へ送信するために、制御セクション内のリソース・ブロックを割り当てられうる。制御データは、制御情報、アップリンク制御情報（ＵＣＩ）、シグナリング(signaling)等とも称されうる。ＵＥ１２０はまた、トラヒック・データをｅＮＢ１１０へ送信するために、データ・セクション内のリソース・ブロックを割り当てられうる。トラヒック・データは、ユーザ・データ、パケット・データ等とも称されうる。ＵＥ１２０は、制御セクション内の割り当てられたリソース・ブロック３１０ａ及び３１０ｂを用いて物理アップリンク制御チャネル（ＰＵＣＣＨ）上で制御データのみを送信することができる。ＵＥ１２０は、データ・セクション内の割り当てられたリソース・ブロック３２０ａ及び３２０ｂを用いて物理アップリンク共有チャネル（ＰＵＳＣＨ）上でトラヒック・データのみ又はトラヒック・データ及び制御データ両方を送信することができる。アップリンク送信は、図３に示すように、サブフレームの両方のスロットにわたり、周波数をホップすることができる。
【００１７】
システムは、ダウンリンクのための１つ又は複数の搬送波及びアップリンクのための１つ又は複数の搬送波における動作をサポートすることができる。搬送波は、通信のために用いられる周波数の範囲を称し、ある特性に関連付けられうる。例えば搬送波は、搬送波における動作を説明するシステム情報等に関連付けられうる。搬送波はまた、チャネル、周波数チャネル等とも称されうる。ダウンリンクのための搬送波は、ダウンリンク搬送波と称され、アップリンクのための搬送波は、アップリンク搬送波と称されうる。
【００１８】
システムは、データ送信の信頼性を改善するために、ハイブリッド自動再送信（ＨＡＲＱ）をサポートすることができる。ダウンリンクにおけるＨＡＲＱの場合、ｅＮＢは、トランスポート・ブロック（すなわちパケット）の送信をＵＥ１２０へ送ることができ、必要であれば、トランスポート・ブロックがＵＥ１２０によって正しく復号されるまで、又は送信の最大数が送られるまで、又は他の何らかの終了条件が満たされるまで、１つ又は複数の追加送信を送ることができる。トランスポート・ブロックの各送信の後、ＵＥ１２０は、受信した送信全てに基づいてトランスポート・ブロックを復号し、トランスポート・ブロックが正しく復号された場合、アクノレッジメント（ＡＣＫ）を返し、トランスポート・ブロックが誤って復号された場合、ネガティブ・アクノレッジメント（ＮＡＣＫ）を返すことができる。ｅＮＢ１１０は、ＮＡＣＫが受信された場合、トランスポート・ブロックの別の送信を送り、ＡＣＫが受信された場合、トランスポート・ブロックの送信を終了することができる。ＵＥ１２０によって送信されたＡＣＫ／ＮＡＣＫは、ＨＡＲＱフィードバックとも称されうる。
【００１９】
ダウンリンクにおけるＨＡＲＱをサポートするために、ＵＥ１２０は、ｅＮＢ１１０からＵＥ１２０へのワイヤレスチャネルを評価し、ＵＥ１２０における受信信号品質を示すチャネル品質インジケータ（ＣＱＩ）を決定及びレポートすることができる。ｅＮＢ１１０は、ＵＥ１２０からのＣＱＩに基づいて変調及びコーディング・スキーム（ＭＣＳ;modulation and coding scheme）を選択し、選択されたＭＣＳに基づいてトランスポート・ブロックの１つ又は複数の送信を送ることができる。
【００２０】
システムは、高いデータ・レート及び／又は高い信頼性を達成するために、複数入力複数出力（ＭＩＭＯ）送信をサポートすることができる。ダウンリンクにおけるＭＩＭＯ送信の場合、ｅＮＢ１１０は、ｅＮＢ１１０の複数の送信アンテナを介して１つ又は複数のトランスポート・ブロック（すなわち、コードワード）をＵＥ１２０の複数の受信アンテナへ同時に送信することができる。一般に、ｅＮＢ１１０は、プリコーディング・マトリクスを用いて形成されたＱ個の層においてＱ個の送信ブロックを送信することができる。この場合Ｑは１、２等に等しくなりうる。プリコーディング・マトリクスは、いくつかのＭＩＭＯモードでは、ＵＥ１２０によって選択されてｅＮＢ１２０へレポートされ、他のいくつかのＭＩＭＯモードでは、ｅＮＢ１１０によって選択されうる。
【００２１】
ダウンリンクにおけるＭＩＭＯ送信をサポートするために、ＵＥ１２０は、ｅＮＢ１１０からＵＥ１２０へのＭＩＭＯチャネルを評価し、（ｉ）Ｑ個の層の受信された信号品質を示す最大Ｑ個のＣＱＩ、（ｉｉ）いくつのトランスポート・ブロックを送信するか（すなわち、Ｑの値）を示すランク・インジケータ（ＲＩ）、及び／又は（ｉｉｉ）送信前にデータをプリコードするためにｅＮＢ１１０によって用いるためのプリコーディング・マトリクスを示すプリコーディング・マトリクス・インジケータ（ＰＭＩ：precoding matrix indicator）、を決定することができる。ＲＩは、ＣＱＩ及びＰＭＩよりも緩慢に変化しうる。ＵＥ１２０は、トラヒック・データがＵＥ１２０へ送信されうる各ダウンリンク搬送波について、Ｑ個の層に関する最大Ｑ個のＣＱＩ、ＲＩ、及びＰＭＩを決定し、レポートすることができる。
【００２２】
図４は、１対１のダウンリンク・アップリンク・マッピングを用いる、アップリンクにおけるフィードバック送信及びダウンリンクにおけるデータ送信の設計を示す。この設計において、Ｋ個のダウンリンク搬送波及びＫ個のアップリンク搬送波が利用可能であり、各ダウンリンク搬送波は対応するアップリンク搬送波と対である。ｅＮＢ１１０は、ダウンリンク搬送波ｋにおいて物理ダウンリンク共有チャネル（ＰＤＳＣＨ）でトラヒック・データをＵＥ１２０へ送信することができる。この場合、ｋ∈｛１，・・・，Ｋ｝である。ＵＥ１２０は、対応するアップリンク搬送波ｋにおいてＰＵＣＣＨ又はＰＵＳＣＨで制御データをｅＮＢ１１０へ送信することができる。制御データは、ダウンリンク搬送波ｋにおけるデータ送信のためのＡＣＫ／ＮＡＣＫ、ダウンリンク搬送波ｋにおけるＱ個の層のための最大Ｑ個のＣＱＩ、ＰＭＩ、ＲＩ、スケジューリング要求（ＳＲ）、及び／又は他のタイプの制御データを備えることができる。スケジューリング要求は、ＵＥ１２０がアップリンクでトラヒック・データを送信することを可能にするためのリソースを要求することができる。ＵＥ１２０はまた、アップリンク搬送波ｋにおいて制御データとともにトラヒック・データを送信することもできる。
【００２３】
一般に、ｅＮＢ１１０は、最大Ｋ個のダウンリンク搬送波１乃至Ｋにおいてトラヒック・データをＵＥ１２０へ送信することができる。ＵＥ１２０は、各ダウンリンク搬送波におけるデータ送信を受信及び復号し、対応するアップリンク搬送波において制御データ及び場合によってはトラヒック・データを送信することができる。図４に示す１対１のダウンリンク・アップリンク・マッピングの場合、各ダウンリンク搬送波のためのフィードバック／制御データ（例えば、ＣＱＩ、ＰＭＩ、及びＲＩ）は、対応するアップリンク搬送波において送信されうる。制御データのために用いられたアップリンク搬送波は、（ｉ）（図４に示すような）トラヒック・データが送信されるダウンリンク搬送波、又は（ｉｉ）ダウンリンク許可が送信されるダウンリンク搬送波と対であることができる。一般に、所与のダウンリンク搬送波のための制御データ（例えば、ＣＱＩ、ＰＭＩ及びＲＩ）は、指定されたアップリンク搬送波において送信されうる。指定されたアップリンク搬送波は、（ｉ）トラヒック・データ又はダウンリンク許可を送信するために用いられたダウンリンク搬送波に基づいて決定される、又は（ｉｉ）例えば多数対１のダウンリンク・アップリンク・マッピングの場合、複数のダウンリンク搬送波について同一である、ことができる。
【００２４】
一般に、ＵＥ１２０は、所与のサブフレームにおいて１つ又は複数のアップリンク搬送波でデータを送信することができる。更にＵＥ１２０は、各アップリンク搬送波でトラヒック・データ及び／又は制御データを送信することができる。ＵＥ１２０は、ＣＱＩ、ＰＭＩ、ＲＩ、ＳＲ、及び／又は他のタイプの制御データを各アップリンク搬送波で送信することができる。
【００２５】
ＵＥ１２０は、アップリンクにおける送信に関して電力が制限されうる。電力制限シナリオは、アップリンク送信のために必要な送信電力が、ＵＥの利用可能な送信電力を上回るシナリオである。電力制限シナリオは、様々な理由によって起こりうる。例えば、ＵＥ１２０がｅＮＢ１１０から遠く離れた場所にあること、またＵＥ１２０とｅＮＢ１１０との間の経路損失などである。従って、ＵＥ１２０は、大きな経路損失が存在する場合、ｅＮＢ１１０における受信信号品質目標を達成するために、高い電力レベルで送信する必要がある。ＵＥ１２０はまた、複数のアップリンク搬送波で送信することもでき、全てのアップリンク搬送波のために必要な送信電力の合計が、利用可能な送信電力を上回ることがある。
【００２６】
態様において、ＵＥ１２０は、電力が制限される場合、送信する様々なタイプのデータを優先順位付けることができる。ＵＥ１２０はその後、優先順位付けされたデータのうちのいくつか又は全てを送信することができる。これによって、ＵＥ１２０は、電力が制限される場合、高い優先順位のデータを送信することが可能となる。
【００２７】
様々なタイプのデータが、様々な方式で優先順位付けされうる。１つの設計において、様々なタイプのデータが表１に示すように優先順位付けされる。この設計において、上位層シグナリングは、ＵＥ１２０の動作を設定するために用いられることができ、ＵＥの性能全体に最も大きい影響を与えうるので、最も高い優先順位を有することができる。上位層シグナリングは、無線リソース制御（ＲＲＣ：Radio Resource Control）シグナリング、媒体アクセス制御（ＭＡＣ;Medium Access Control）シグナリング等を含むことができる。ＲＲＣシグナリングは、ＰＵＳＣＨにおいて送信されうるパイロット測定レポート、電力ヘッドルーム・レポート等を含むことができる。制御データは、物理層におけるデータ送信をサポートするために用いられることができ、データ送信の性能に影響を与えうるので、次に高い優先順位を有することができる。トラヒック・データは、ユーザ・データ及び／又は他の非制御データを含むことができる。
【表１】
2014171252.tif 000003
【００２８】
表１に示す設計において、ＵＥ１２０が電力を制限されている場合、ＵＥ１２０は、送信のために最初に（もしあれば）全ての上位層シグナリングを選択することができる。ＵＥ１２０は次に、自身の利用可能な送信電力に基づいて、送信のために可能な限り多くの制御データを選択することができる。ＵＥ１２０はその後、自身の利用可能な送信電力に基づいて、送信のために可能な限り多くのトラヒック・データを選択することができる。
【００２９】
様々なタイプのデータはまた、他の方式でも優先順位付けされうる。別の設計において、制御データが最も高い優先順位を有し、上位層シグナリングが次に高い優先順位を有し、トラヒック・データが最も低い優先順位を有することができる。明確化のために、以下の説明の大部分は、表１に示す設計を想定する。
【００３０】
ＵＥ１２０は、ＰＵＣＣＨで制御データを送信し、ＰＵＳＣＨでトラヒック・データを送信することができる。この場合、ＰＵＣＣＨのためのデータは、ＰＵＳＣＨのためのデータよりも高い優先順位を有することができる。制御データとトラヒック・データとの両方がＰＵＳＣＨにおいて送信されることもでき、ＰＵＳＣＨにおけるトラヒック・データのみよりも高い優先順位を有することができる。１つの設計において、ＰＵＣＣＨとＰＵＳＣＨとの両方を送信するために不十分な送信電力しかない場合、ＰＵＣＣＨが送信され、ＰＵＳＣＨは中断されうる。
【００３１】
様々なタイプの制御データが所与のサブフレームにおいて送信され、様々な方式で優先順位付けされうる。１つの設計において、様々なタイプの制御データが、表２に示すように優先順位付けされうる。様々なタイプの制御データが、様々な目的のために用いられ、データ送信性能に様々な影響を及ぼしうる。ＡＣＫ／ＮＡＣＫは、ダウンリンクにおけるデータ送信の性能により大きい影響を有しうるので、様々なタイプの制御データの中で最も高い優先順位を与えられうる。スケジューリング要求は、アップリンクでのデータ送信の性能に影響し、２番目に高い優先順位を有することができる。ランク・インジケータは同時に送信するトランスポート・ブロックの数を示すことができ、ＣＱＩ及びＰＭＩよりも緩慢に変化し、３番目に高い優先順位を与えられうる。ＣＱＩ及びＰＭＩは、トランスポート・ブロックに関して送る送信の数に影響し、４番目に高い優先順位を与えられうる。様々なタイプの制御データはまた、様々なデータ・サブタイプとしてみなされることもある。
【表２】
2014171252.tif 000004
【００３２】
１つの設計において、ＵＥ１２０は、最も高い優先順位を有する制御データ・タイプから、送信のために一度に１つのタイプの制御データを選択することができる。表２に示す優先順位の場合、ＵＥ１２０の電力が制限されている場合、ＵＥ１２０は、まず全ての搬送波のためにＡＣＫ／ＮＡＣＫを選択し、次に全ての搬送波のためにスケジューリング要求を選択し、次に全ての搬送波のためにランク・インジケータを選択し、次に全ての搬送波のためにＣＱＩ及びＰＭＩを選択することができる。選択する制御データのタイプ及び各タイプの制御データの量は、以下で説明するように、必要な送信電力及び利用可能な送信電力に依存しうる。
【００３３】
別の設計において、所与のタイプの制御データは、制御データが用いられるシナリオ、制御データが送信される方式、及び／又は他の基準に基づいて更に優先順位付けされうる。例えば制御データは、最高優先順位から最低優先順位まで以下のように優先順位付けされうる。
【００３４】
・複数のダウンリンク搬送波におけるデータ送信のためのマルチキャリアＡＣＫ／ＮＡＣＫ
・ＭＩＭＯを用いる又は用いない単一のダウンリンク搬送波におけるデータ送信のためのシングルキャリアＡＣＫ／ＮＡＣＫ
・アップリンクにおいてＣＱＩ、ＰＭＩ、及びＲＩと多重化された場合のＡＣＫ／ＮＡＣＫ
・スケジューリング要求
・ランク・インジケータ
・ＣＱＩ及びＰＭＩ
様々なタイプの制御データはまた、他の方式でも優先順位付けされうる。例えば、スケジューリング要求及び／又はランク・インジケータは、ＡＣＫ／ＮＡＣＫよりも高い優先順位を有することができる。異なるタイプ及び／又は他のタイプの制御データが送信されることもでき、任意の適切なスキームに基づいて優先順位付けされうる。
【００３５】
様々なタイプのトラヒック・データが所与のサブフレームにおいて送信され、様々な方式で優先順位付けされうる。１つの設計において、様々なタイプのトラヒック・データは、表３に示すような遅延要件に基づいて優先順位付けされうる。（例えば、音声、ビデオ会議等のための）遅延センシティブなトラヒック・データは、より厳しい遅延要件を有し、様々なタイプのトラヒック・データの中で最も高い優先順位を与えられうる。遅延耐性トラヒック・データ（例えば、ウェブ・ブラウジング、データ・ダウンロード等）は、より厳しくない遅延要件を有し、低い優先順位を与えられうる。
【表３】
2014171252.tif 000005
【００３６】
異なるタイプ及び／又は更なるタイプのトラヒック・データが定義され、優先順位付けされることもできる。簡略化のために表３には示さないが、遅延センシティブなトラヒック・データの複数のサブタイプ又はカテゴリがサポートされ、階層方式で優先順位付けされうる。同様に、遅延耐性トラヒック・データの複数のサブタイプがサポートされ、階層方式で優先順位付けされうる。簡略化のために、以下の説明の大部分は、表３に示す２タイプのトラヒック・データを想定する。
【００３７】
１つの設計において、ＵＥ１２０は、最も高い優先順位を有するトラヒック・データ・タイプから、送信のために一度に１つのタイプのトラヒック・データを選択することができる。表３に示す優先順位の場合、ＵＥ１２０が電力を制限されている場合、ＵＥ１２０は、（ｉ）自身の利用可能な送信電力に基づいて、送信のために（例えば、利用可能なトラヒック・データの中で）可能な限り多くの遅延センシティブなトラヒック・データを選択するか、又は（ｉｉ）送信される必要がある遅延センシティブなトラヒック・データを決定する、ことができる。ＵＥ１２０はその後、送信のために、可能な限り多くの遅延耐性トラヒック・データを選択することができる。選択するトラヒック・データのタイプ及び各タイプのトラヒック・データの量は、以下で説明するように、必要な送信電力及び利用可能な送信電力に依存しうる。
【００３８】
図５は、電力制限シナリオにおいてデータの優先順位付けを用いてデータを送信するための処理５００の設計を示す。ＵＥ１２０は、所与のサブフレームにおいてアップリンクのための少なくとも１つの搬送波において送信する全てのデータを取得することができる（ブロック５１２）。ＵＥ１２０は、自身が電力を制限されているかを判定することができる（ブロック５１４）。ＵＥ１２０は、送信するデータ全てのために必要な送信電力の合計が、ＵＥ１２０の利用可能な送信電力を上回る場合、電力を制限されうる。ＵＥ１２０が電力を制限されていない場合、ＵＥ１２０は、通常の方式で少なくとも１つの搬送波においてデータ全てを送信することができる（ブロック５１６）。ブロック５１６の場合、ＵＥ１２０は、ｅＮＢ１１０による信頼性のある受信を可能とするために、必要な送信電力で各搬送波において各タイプのデータを送信することができる。ＵＥ１２０はまた、最も高い優先順位のデータ・タイプから、送信のために一度に１つのタイプのデータを選択し、各タイプのデータのために必要な送信電力を割り当てることもできる。
【００３９】
ブロック５１４において判定されたように、ＵＥ１２０が電力を制限されている場合、ＵＥ１２０は、様々なデータ・タイプの優先順位に基づいて、可能な限り多くのデータを送信することができる。表１に示す設計の場合、ＵＥ１２０は、送信すべき任意の上位層シグナリングが存在するかを判定することができる（ブロック５１８）。ブロック５１８の答えが「イエス」である場合、ＵＥ１２０は、送信のために上位層シグナリングを選択することができる（ブロック５２０）。ブロック５１８の答えが「ノー」である場合、及びブロック５２０の後、ＵＥ１２０は、送信すべき任意の制御データが存在するかを判定することができる（ブロック５２２）。ブロック５２２の答えが「イエス」である場合、ＵＥ１２０は、送信すべき任意のＡＣＫ／ＮＡＣＫが存在するかを判定することができる（ブロック５２４）。ブロック５２４の答えが「イエス」である場合、ＵＥ１２０は、送信のためにＡＣＫ／ＮＡＣＫを選択することができる（ブロック５２６）。ブロック５２４の答えが「ノー」である場合、及びブロック５２６の後、ＵＥ１２０は、送信すべき他の制御データが存在するかを判定することができる（ブロック５２８）。ブロック５２８の答えが「イエス」である場合、ＵＥ１２０は、送信のために他の制御データを選択することができる（ブロック５３０）。ブロック５２２又は５２８の答えが「ノー」である場合、及びブロック５３０の後、ＵＥ１２０は、送信すべき任意のトラヒック・データが存在するかを判定することができる（ブロック５３２）。ブロック５３２の答えが「イエス」である場合、ＵＥ１２０は、送信のためにトラヒック・データを選択することができる（ブロック５３４）。ブロック５３２の答えが「ノー」である場合及びブロック５３４の後、ＵＥ１２０は、少なくとも１つの搬送波の各々においてＰＵＣＣＨ及び／又はＰＵＳＣＨで、選択されたデータを送信することができる（ブロック５３６）。
【００４０】
簡略化のために、図５はＵＥ１２０の利用可能な送信電力の更新を示さない。ＵＥ１２０は、各ブロックにおいて選択されたデータのために必要な送信電力を決定し、それに従って自身の利用可能な送信電力を更新することができる。例えばブロック５２０において、ＵＥ１２０は、上位層シグナリングのために必要な又は割り当てられた送信電力を決定し、この送信電力を自身の利用可能な送信電力から減じることができる。ブロック５２６において、ＵＥ１２０は、ＡＣＫ／ＮＡＣＫのために必要な又は割り当てられた送信電力を決定し、この送信電力を自身の利用可能な送信電力から減じることができる。ブロック５３０において。ＵＥ１２０は、他の制御データのために必要な又は割り当てられた送信電力を決定し、この送信電力を自身の利用可能な送信電力から減じることができる。更なるデータを送信することができるか否かは、ＵＥ１２０の利用可能な送信電力及びデータを送信するために必要な送信電力に基づいて決定されうる。
【００４１】
別の態様において、ＵＥ１２０は、ＵＥ１２０が電力を制限されている場合、搬送波の優先順位を考慮することによって、複数の搬送波においてデータを送信することができる。これによって、ＵＥ１２０は、ＵＥ１２０が電力を制限されている場合、まず高い優先順位の搬送波のためのデータを最初に送信する、及び／又は、高い優先順位の搬送波のためにより多くの送信電力を用いることが可能となる。
【００４２】
複数の搬送波が、様々な方式で優先順位を割り当てられうる。１つの設計において、ｅＮＢ１１０又は他の何らかのネットワーク・エンティティは、１つ又は複数の基準に基づいて複数の搬送波に優先順位を割り当て、搬送波の割り当てられた優先順位をＵＥ１２０へ知らせることができる。例えば、良好な受信信号品質を有する搬送波、高い変調及びコーディング・スキームを有する搬送波、高い優先順位を有するデータ（例えば、制御データ、又は遅延センシティブなトラヒック・データ）を搬送する搬送波、セル間干渉調整（ＩＣＩＣ）による少ない干渉を有する搬送波、少ない負荷を有する搬送波、送信のためにＵＥ１２０に多くのリソースが割り当てられた搬送波、又は他の所望の特性を有する搬送波に、高い優先順位が割り当てられうる。ネットワーク・エンティティによる搬送波の優先順位付けは、低い干渉、高い受信信号品質、低い負荷等を有する搬送波で高い優先順位のデータを送信するようにＵＥ１２０に指示するためなどの様々な理由によって望まれうる。
【００４３】
別の設計において、ＵＥ１２０は、１つ又は複数の基準に基づいて複数の搬送波に優先順位を割り当て、割り当てられた優先順位をｅＮＢ１１０へ伝達することもしないこともできる。例えば、ＵＥ１２０は、複数の搬送波におけるアップリンク送信のためにスケジュールされうる。ＵＥ１２０は、ＵＥ１２０がスケジュールされた搬送波全ての中から最も高い優先順位の搬送波を選択し、選択された搬送波において、自身の高い優先順位のデータ（例えば、制御データ又は遅延センシティブなトラヒック・データ）を送信することができる。１つの設計において、ＵＥ１２０は、１つ又は場合によっては複数の搬送波を優先順位付けすることができ、ＵＥ１２０が電力を制限されている場合、優先順位付けされた搬送波において高い優先順位のデータを送信することができる。残りのトラヒック・データは（もしあれば）ＨＡＲＱに頼ることができる。
【００４４】
１つの設計において、高い優先順位の搬送波の指定は、ＵＥ１２０によって暗黙に実行されうる。例えば、スケジューラは、ＵＥ１２０への複数の搬送波にリソースを割り当てることができる。割り当てられたリソースは、ＵＥ１２０の特定のトラヒック・フローに固定されない。スケジューラは、例えば各リソースのための各トラヒック・フローからの特定の数のビットのような、ＵＥ１２０のトラヒック・フローのリソースへの特定のマッピングを想定したアルゴリズムに基づいて、ＵＥ１２０へリソースを割り当てることができる。しかしＵＥ１２０は、割り当てられたリソースを、スケジューラが想定したものとは異なるように用いることができる。これは、トラヒック・フローをリソースにマップするためにスケジューラ及びＵＥ１２０両方によって同一のアルゴリズムが用いられる場合でも、例えばスケジューラとＵＥ１２０とにおけるＵＥバッファ・ステータスの差異といった様々な理由により起こりうる。ＵＥ１２０はその後、自身のトラヒック・フローのために割り当てられたリソースをどのように用いるかの様々な解釈を有することができる。ＵＥ１２０が複数の搬送波においてリソースの割当てを受信したときに電力が制限されている場合、ＵＥ１２０は、高い優先順位のデータを、可能な限り多くの送信電力で送信する、又は必要に応じて、ＵＥ１２０がスケジュールされた複数の搬送波のうちの１つで送信することができる。ＵＥ１２０は、必要であれば、１つ又は複数の他の搬送波をスターブ（starve）する（すなわち、それを用いて送信しない）ことができる。高い優先順位のデータを送信するためにＵＥ１２０によって用いられた搬送波は事実上、高い優先順位の搬送波となりうる。高い優先順位の搬送波の指定はこのように暗黙であることができ、ＵＥ１２０及び他のネットワーク・エンティティの動作に最小限の影響しか及ぼさない。
【００４５】
優先順位はまた、他の方式で複数の搬送波に割り当てられることもできる。一般に、優先順位は、（ｉ）明示的に割り当てられ、ｅＮＢ１１０及びＵＥ１２０の双方に知られるか、又は（ｉｉ）暗黙に割り当てられ、ＵＥ１２０のみに知られる又はｅＮＢ１１０及びＵＥ１２０の双方に知られる、ことがある。データ送信のための搬送波の優先順位付けは、高い優先順位の搬送波における高い優先順位のデータの送信を可能にすることが望ましい。
【００４６】
データは、様々な方式で優先順位付けされた搬送波において送信されうる。優先順位付けされた搬送波においてデータを送信する第１の設計において、高い優先順位の搬送波から一度に１つの搬送波のためのデータが送信のために選択されうる。この設計において、ＵＥ１２０の利用可能な送信電力は、最初に最も高い優先順位の搬送波に割り当てられ、続いて、次に高い優先順位の搬送波に割り当てられ、と続く。データ送信のために選択された搬送波の数は、ＵＥ１２０の利用可能な送信電力及び各搬送波のために必要な送信電力に依存しうる。送信電力は、様々な方式で各選択された搬送波に割り当てられうる。
【００４７】
第１の電力割当てスキームにおいて、各搬送波は、その搬送波において送信するデータのために必要な送信電力を以下のように割り当てられうる。
【数１】
2014171252.tif 000006
【００４８】
この場合、Required_Power(k)は、搬送波ｋのために必要な送信電力であり、  
Allocated_Power(k)は、搬送波ｋのために割り当てられた送信電力である。
【００４９】
第１の電力割当てスキームは、データ送信のために選択された各搬送波によって必要とされる限り多くの送信電力を割り当てることができる。これは、各選択された搬送波においてデータが信頼性を持って送信されうることを確実にすることができる。
【００５０】
第２の電力割当てスキームにおいて、搬送波の優先順位及び／又は他の要因に基づいて、各搬送波のためにスケーリング係数(scaling factor)が定められうる。例えば、最も高い優先順位の搬送波は１．０のスケーリング係数を割り当てられ、２番目に高い優先順位の搬送波は０．８のスケーリング係数を割り当てられうる。一般に、低い優先順位の搬送波ほど、小さいスケーリング係数が用いられうる。１つの設計において、搬送波は、自身のスケーリング係数に基づいて以下のように送信電力を割り当てられうる。  
【数２】
2014171252.tif 000007
【００５１】
この場合、Scaling_Factor(k)は、搬送波ｋのスケーリング係数である。
【００５２】
第２の電力割当てスキームは、より高い優先順位の搬送波に、（例えば、必要な送信電力に関連して）より高い送信電力を割り当てることができる。第２の電力割当てスキームは、第１の電力割当てスキームよりも多くの搬送波においてデータが送信されることを可能にすることができる。
【００５３】
優先順位付けされた搬送波においてデータを送信する第２の設計において、全ての搬送波のためのデータが、それらの搬送波のために選択された電力レベルで送信されうる。スケーリング係数は、１つ又は複数の要因に基づいて各搬送波のために定められうる。各搬送波は、以下のように幾らかの送信電力を割り当てられうる。  
【数３】
2014171252.tif 000008
【００５４】
この場合、
【数４】
2014171252.tif 000009
【００５５】
は、Ｋ個の搬送波全てのために必要な合計送信電力であり、  
Available_Powerは、ＵＥ１２０の利用可能な送信電力である。
【００５６】
第２の設計の場合、利用可能な送信電力の一部が、各搬送波に割り当てられうる。様々な搬送波は、それらのスケーリング係数によって定められたように、それらが必要な送信電力の異なるパーセンテージを割り当てられうる。各搬送波のスケーリング係数は、上述したように、その搬送波の優先順位に基づいて決定されうる。あるいは又は更に、各搬送波のスケーリング係数は、例えばその搬送波において送信されているデータのタイプ、その搬送波の受信信号品質等のような、その搬送波の他の何らかの特性に基づいて決定されうる。
【００５７】
図６は、電力制限シナリオにおいて、搬送波の優先順位付けを用いて複数の搬送波でデータを送信するための処理６００の設計を示す。ＵＥ１２０は、所与のサブフレームにおいて、アップリンクのための複数の搬送波において送信するデータ全てを取得することができる（ブロック６１２）。ＵＥ１２０は、各搬送波のために必要な送信電力を決定することができる（ブロック６１４）。１つの設計において、各搬送波は、ＵＥ１２０によってその搬送波で送信された参照信号の目標受信信号品質を得るために電力制御されうる。各搬送波のために必要な送信電力は、その後、搬送波における参照信号のための送信電力及び搬送波において送信されているデータに関するデータ対基準電力比に基づいて決定されうる。
【００５８】
ＵＥ１２０は、各搬送波のためのスケーリング係数を決定することができる（ブロック６１６）。各搬送波のためのスケーリング係数は、搬送波の優先順位、搬送波で送信するデータの優先順位、及び／又は他の要因に依存することができる。ＵＥ１２０は、例えば、上述した設計のうちの何れかに基づいて、全ての搬送波のスケーリング係数及び必要な送信電力に基づいて各搬送波に送信電力を割り当てることができる（ブロック６１８）。ＵＥ１２０はその後、各搬送波のために割り当てられた送信電力で、その搬送波のためのデータを送信することができる（ブロック６２０）。
【００５９】
また別の態様において、ＵＥ１２０は、ＵＥ１２０が電力を制限されている場合、様々なデータ・タイプの優先順位及び搬送波の優先順位に基づいて複数の搬送波でデータを送信することができる。これによって、ＵＥ１２０は、ＵＥ１２０が電力を制限されている場合でも、高い優先順位のデータ及び／又は高い優先順位の搬送波のためのデータを送信することが可能となる。
【００６０】
１つの設計において、ＵＥ１２０は、例えば表１、２、及び３に示すように、様々なタイプのデータを優先順位付けすることができる。ＵＥ１２０はその後、高い優先順位のデータ・タイプから、送信のために一度に１つのタイプのデータを選択することができる。例えばＵＥ１２０は、まず全ての搬送波のための上位層シグナリングを選択し、次に全ての搬送波のための制御データを選択し、次に全ての搬送波のためのトラヒック・データを選択することができる。各データ・タイプについて、ＵＥ１２０は、最も高い優先順位のデータ・サブタイプから、送信のために一度に１つのサブタイプのデータを選択することができる。例えば制御データの場合、ＵＥ１２０は、まず全ての搬送波のためのＡＣＫ／ＮＡＣＫを選択し、次に全ての搬送波のためのスケジューリング要求を選択し、次に全ての搬送波のためのランク・インジケータを選択し、次に全ての搬送波のためのＣＱＩ及びＰＭＩを選択することができる。各データ・タイプ又はサブタイプについて、ＵＥ１２０は、そのデータ・タイプ又はサブタイプのための搬送波全てにわたって優先順位付けすることができる。
【００６１】
ＵＥ１２０は、様々な方式で、全てのサブキャリアにわたって特定のタイプ（又はサブタイプ）のデータに送信電力を割り当てることができる。第１の設計において、ＵＥ１２０は、例えば式（１）に示すように、最も高い優先順位の搬送波から、一度に１つの搬送波について、所与のタイプ（又はサブタイプ）のデータのために必要な送信電力を割り当てることができる。例えばＵＥ１２０は、一度に１つの搬送波において送信するＡＣＫ／ＮＡＣＫのための送信電力を割り当てることができる。ＵＥ１２０は、まず、最も高い優先順位の搬送波におけるＡＣＫ／ＮＡＣＫのために必要な送信電力を割り当て、続いて、次に高い優先順位の搬送波におけるＡＣＫ／ＮＡＣＫのために必要な送信電力を割り当て、と続けることができる。第１の設計の場合、ＵＥ１２０は、搬送波にわたって一律の電力分配を主に実行することができ、全ての搬送波のスケーリング係数が１に等しくなりうる。
【００６２】
第２の設計において、ＵＥ１２０は、例えば式（２）又は（３）に示すように、そのデータのためのスケーリング係数及び必要な送信電力に基づいて、各搬送波のための所与のタイプ（又はサブタイプ）のデータのために割り当てられる送信電力を決定することができる。例えばＵＥ１２０はまず、最も高い優先順位の搬送波のスケーリング係数に基づいて、その搬送波におけるＡＣＫ／ＮＡＣＫのために割り当てられる送信電力を決定し、続いて、次に高い優先順位の搬送波のスケーリング係数に基づいて、その搬送波におけるＡＣＫ／ＮＡＣＫのために割り当てられる送信電力を決定し、と続けることができる。
【００６３】
１つの設計において、スケーリング係数の単一のセットが複数の搬送波のために定められ、スケーリング係数のこのセットが全てのデータ・タイプのために用いられうる。別の設計において、スケーリング係数の異なるセットが、件の各データ・タイプのための複数の搬送波のために定められうる。例えば、Ｋ個のスケーリング係数の第１のセットが、制御データのためのＫ個の搬送波のために定められ、Ｋ個のスケーリング係数の第２のセットが、トラヒック・データのためのＫ個の搬送波のために定められうる。スケーリング係数の異なるセットが、異なるタイプの制御データ及び／又は異なるタイプのトラヒック・データのために定められることもできる。
【００６４】
スケーリング係数は、搬送波の優先順位に基づいて、様々な搬送波のための電力スケーリングを実行するために用いられうる。これは、搬送波にわたるサービス品質（ＱｏＳ）センシティブなスケジューリングのバージョンとしてみなされうる、遅延センシティブなトラヒック・データを搬送する高い優先順位の搬送波が存在する場合に望ましい。１つの設計において、搬送波は高い優先順位の搬送波として指定され、高い優先順位のトラヒック・データ（例えば、遅延センシティブなトラヒック・データ）が、高い優先順位の指定によってこの搬送波で送信されうる。別の設計において、搬送波全てが最初に何らかの優先順位を有し、搬送波は、高い優先順位のデータがその搬送波で送信される場合、高い優先順位の搬送波となることができる。スケーリング係数はまた、搬送波が同じ優先順位を有する場合等しくなり、データのための送信電力は、搬送波にわたって均等にスケールされうる。
【００６５】
１つの設計において、データの優先順位付けは、搬送波の優先順位付けに先立つことができる。例えば、全ての搬送波のためのＡＣＫ／ＮＡＣＫが、各搬送波の優先順位に従って送信されうる。しかしＡＣＫ／ＮＡＣＫは、搬送波の優先順位に関わらず、他の任意のタイプの制御データよりも前に送信されうる。ＡＣＫ／ＮＡＣＫはＣＱＩよりも高い優先順位を有するので、低い優先順位の搬送波のＡＣＫ／ＮＡＣＫが、高い優先順位の搬送波のＣＱＩよりも先立つことができる。別の設計において、搬送波の優先順位付けが、データの優先順位付けに先立つことができる。例えばＵＥ１２０は、まず送信のために高い優先順位の搬送波のための全てのタイプのデータを選択し、続いて、次に高い優先順位の搬送波のための全てのタイプのデータを選択し、と続けることができる。
【００６６】
図７は、電力制限シナリオにおいて、データ及び搬送波の優先順位付けを用いて複数の搬送波においてデータを送信するための処理７００の設計を示す。ＵＥ１２０は、所与のサブフレームにおいてアップリンクのための複数の搬送波において送信する全てのデータを取得することができる（ブロック７１２）。ＵＥ１２０は、（例えば、表１、２、及び３に示すような優先順位に基づいて、）送信するデータを優先順位付けすることができ、送信電力の割当てのために１度に１つのデータ・タイプを選択することができる。ＵＥ１２０は最初に、送信電力の割当てのために最も高い優先順位のデータ・タイプを選択することができる（ブロック７１４）。
【００６７】
選択されたデータ・タイプに関して、ＵＥ１２０は、複数の搬送波の優先順位に基づいて、一度に１つの搬送波のためのデータに送信電力を割り当てることができる。ＵＥ１２０は、まだ考慮されていない搬送波全ての中から、最も高い優先順位を有する搬送波を選択することができる（ブロック７１６）。ＵＥ１２０は、選択された搬送波において送信される選択されたデータ・タイプのデータである、選択されたデータのために必要な送信電力を決定することができる（ブロック７１８）。ＵＥ１２０はまた、選択されたデータのためのスケーリング係数を決定することもできる（ブロック７２０）。ＵＥ１２０は次に、選択されたデータのための十分な送信電力があるかを判定することができる（ブロック７２２）。不十分な送信電力しかない場合、ＵＥ１２０は、ブロック７２８へ進むことができる。そうでない場合、ＵＥ１２０は、選択されたデータに送信電力を割り当てることができ（ブロック７２４）、自身の利用可能な送信電力を更新することができる（ブロック７２６）。ブロック７２８において決定されるように、まだ搬送波全てが考慮されていない場合、ＵＥ１２０はブロック７１６へ戻り、まだ考慮されていない次に最も高い優先順位の搬送波を選択することができる。搬送波全てが考慮されていた場合、ＵＥ１２０は、全てのデータ・タイプが選択されたかを判定することができる（ブロック７３０）。その答えが「ノー」である場合、ＵＥ１２０はブロック７１４に戻り、送信電力の割当てのために次に高い優先順位のデータ・タイプを選択することができる。ブロック７３０において決定されるように、全てのデータ・タイプが考慮されると、ＵＥ１２０は、データのために割り当てられた送信電力で、各搬送波において各データ・タイプのデータを送信することができる（ブロック７３２）。
【００６８】
図７は、データ及び搬送波の優先順位を用いて、複数の搬送波においてデータを送信するための処理の典型的な設計を示す。図７における設計は、低い優先順位のデータに移動する前に、所与の優先順位のデータ全て／搬送波全てにわたるデータ・タイプを考慮することができる。データはまた、他の方式で複数の搬送波において送信されることもできる。一般に送信電力は、任意の順序で、任意の基準のセットに基づいて選択されうる様々な搬送波におけるデータに割り当てられうる。
【００６９】
図８は、ワイヤレスシステムにおいてデータを送信するための処理８００の設計を示す。処理８００は、（以下で説明するような）ＵＥ又は他の何らかのエンティティによって実行されうる。ＵＥは、アップリンクのための少なくとも１つの搬送波において送信するデータを取得することができる（ブロック８１２）。ＵＥは、少なくとも１つの搬送波における送信に関して自身が電力を制限されていることを決定することができる（ブロック８１４）。ＵＥは、自身が電力を制限されていることに応答して、少なくとも１つの基準に基づいて、送信するデータを優先順位付けすることができる（ブロック８１６）。ＵＥは、優先順位付けされたデータに、自身の利用可能な送信電力を割り当てることができる（ブロック８１８）。ＵＥはその後、割り当てられた送信電力で、優先順位付けされたデータを送信することができる（ブロック８２０）。
【００７０】
ブロック８１４の１つの設計において、ＵＥは、送信するデータのために必要な送信電力の合計を決定することができる。ＵＥはその後、必要な送信電力の合計が、ＵＥの利用可能な送信電力を上回ることに基づいて、自身が電力を制限されていることを決定することができる。ＵＥはまた、他の方式で、自身が電力を制限されていることを決定することもできる。
【００７１】
ブロック８１６に関して、ＵＥは、様々な方式で、送信するデータを優先順位付けすることができる。送信するデータを優先順位付けするための少なくとも１つの基準は、チャネル・タイプ、データ・タイプ、制御データ・タイプ、トラヒック・データ・タイプ、搬送波の優先順位、シグナリング・タイプ、又は他の何らかの基準、あるいはそれらの組み合わせを備えることができる。１つの設計においてＵＥは、データ・タイプに基づいて、送信するデータを優先順位付けすることができ、この場合、制御データはトラヒック・データよりも高い優先順位を有する。トラヒック・データと多重化された制御データは、トラヒック・データよりも高い優先順位を有することができる。別の設計においてＵＥは、制御データ・タイプに基づいて、送信するデータを優先順位付けすることができ、この場合、ＡＣＫ／ＮＡＣＫは、ＣＱＩ、スケジューリング要求、ランク・インジケータ、ＰＭＩ、又はそれらの組み合わせよりも高い優先順位を有する。また別の設計においてＵＥは、トラヒック・データ・タイプに基づいて、送信するデータを優先順位付けすることができ、この場合、遅延センシティブなトラヒック・データは遅延耐性トラヒック・データよりも高い優先順位を有する。また別の設計においてＵＥは、チャネル・タイプに基づいて、送信するデータを優先順位付けすることができ、この場合、制御チャネル（例えば、ＰＵＣＣＨ）のためのデータは、データ・チャネル（例えば、ＰＵＳＣＨ）のためのデータよりも高い優先順位を有する。また別の設計においてＵＥは、シグナリング・タイプに基づいて、送信するデータを優先順位付けすることができ、この場合、上位層シグナリングのためのデータは、物理層のためのデータよりも高い優先順位を有する。上位層シグナリングは、ＲＲＣシグナリング又はＭＡＣシグナリング、及び／又は他の何らかの上位層シグナリングを備えることができる。ＵＥは、他の基準に基づいて及び／又は他の方式で、送信するデータを優先順位付けすることもできる。
【００７２】
ブロック８１８の１つの設計において、ＵＥは、例えば図５に示すように、高い優先順位のデータ・タイプから一度に１つのデータ・タイプにつき、自身の利用可能な送信電力を送信するデータに割り当てることができる。別の設計において、ＵＥは、データのために必要な送信電力及び各データ・タイプのためのスケーリング係数に基づいて、各データ・タイプのデータに送信電力を割り当てることができる。データ・タイプの優先順位が高いほど、大きいスケーリング係数が割り当てられうる。
【００７３】
１つの設計において、アップリンクのために複数の搬送波が利用可能であることができる。１つの設計において、複数の搬送波の中の１つの搬送波が、アップリンクで制御データ（すなわち、ＵＣＩ）を搬送するために指定されうる。指定された搬送波は、複数の搬送波の中で最も高い優先順位を有することができる。トラヒック・データは、（制御データを伴って又は伴わず）指定された搬送波で、及び／又は他の搬送波で送られうる。別の設計において、制御データは、複数の搬送波のうちの任意の１つにおいて送られうる。両方の設計に関して、ＵＥは、１つ又は複数の搬送波において送信するデータを取得することができ、送信するデータは、複数の搬送波の優先順位に基づいて優先順位付けされうる。
【００７４】
１つの設計において、ＵＥは、ブロック８１２において、複数の搬送波で送信するためのデータを取得することができる。マルチキャリア動作に関するブロック８１６の１つの設計において、ＵＥは、複数の搬送波の優先順位に基づいて複数の搬送波において送信するデータを優先順位付けすることができ、この場合、高い優先順位の搬送波のためのデータは、低い優先順位の搬送波のためのデータよりも高い優先順位を有する。搬送波の優先順位は、各搬送波の受信信号品質、各搬送波のための変調及びコーディング・スキーム、各搬送波において送信するデータの優先順位、各搬送波において予想される干渉、各搬送波における負荷、各搬送波に割り当てられたリソースの量、又は他の何らかの特性、あるいはそれらの組み合わせに基づいて決定されうる。制御データとトラヒック・データとの両方を有する搬送波は、トラヒック・データのみを有する搬送波よりも高い優先順位を有することができる。
【００７５】
マルチプルキャリア動作に関するブロック８０６の別の設計において、ＵＥは、複数の搬送波の優先順位及び様々なデータ・タイプの優先順位に基づいて、送信するデータを優先順位付けすることができる。１つの設計において、ＵＥは、（ｉ）複数のデータ・タイプの優先順位に基づいて、送信するデータを優先順位付けすることができる、及び（ｉｉ）搬送波の優先順位に基づいて、各データ・タイプのデータを優先順位付けすることができる。別の設計において、ＵＥは、（ｉ）搬送波の優先順位に基づいて、送信するデータを優先順位付けすることができる、及び（ｉｉ）様々なデータ・タイプの優先順位に基づいて、各搬送波のためのデータを優先順位付けすることができる。ＵＥはまた、他の方式で、送信するデータを優先順位付けすることもできる。両方の設計に関して、ＵＥは、表１乃至３に示すように、各搬送波のための様々なタイプのデータを優先順位付けすることができる。
【００７６】
マルチキャリア動作に関するブロック８１８の１つの設計において、ＵＥは、高い優先順位の搬送波から、一度に１つの搬送波につき、自身の利用可能な送信電力を複数の搬送波に割り当てることができる。別の設計において、ＵＥは、データのために必要な送信電力及び搬送波のスケーリング係数に基づいて、各搬送波のためのデータに送信電力を割り当てることができる。高い優先順位の搬送波ほど、大きいスケーリング係数が割り当てられうる。また別の設計において、ＵＥは、様々なデータ・タイプの優先順位及び複数の搬送波の優先順位に基づいて、送信するデータに自身の利用可能な送信電力を割り当てることができる。１つの設計において、ＵＥは、高い優先順位のデータ・タイプから、一度に１つのデータ・タイプにつき、自身の利用可能な送信電力を送信するデータに割り当てることができる。各データ・タイプについて、ＵＥは、搬送波の優先順位に基づいて、そのデータ・タイプのデータに自身の利用可能な送信電力を割り当てることができる。
【００７７】
マルチキャリア動作の場合、ＵＥは、例えば式（１）に示すように、データのために必要な送信電力に基づいて、各搬送波のためのデータに送信電力を割り当てることができる。ＵＥはまた、例えば式（２）に示すように、搬送波のスケーリング係数に更に基づいて、各搬送波のためのデータに送信電力を割り当てることもできる。ＵＥは、例えば式（３）に示すように、送信するデータ全てのために必要な送信電力の合計及び／又は利用可能な送信電力に更に基づいて、各搬送波のためのデータに送信電力を割り当てることもできる。各搬送波のためのスケーリング係数は、搬送波の優先順位、搬送波において送信するデータ、他の何らかの基準、又はそれらの組み合わせに基づいて決定されうる。
【００７８】
１つの設計において、ＵＥは、搬送波の優先順位を伝達するシグナリングを受信することができる。別の設計において、ＵＥは、搬送波の優先順位を決定することができる。例えばＵＥは、高い優先順位のデータを送信するために複数の搬送波のうちの１つを選択することができ、選択された搬送波は、（明示的にあるいは暗黙に）高い優先順位の搬送波として指定されうる。
【００７９】
図９は、ワイヤレス通信システムにおいてデータを送信するための装置９００の設計を示す。装置９００は、ＵＥにおいて、アップリンクのための少なくとも１つの搬送波において送信するデータを取得するためのモジュール９１２と、ＵＥが、少なくとも１つの搬送波における送信に関して電力を制限されていることを決定するためのモジュール９１４と、ＵＥが電力を制限されていることに応答して、少なくとも１つの基準に基づいて、送信するデータを優先順位付けするためのモジュール９１６と、優先順位付けされたデータにＵＥの利用可能な送信電力を割り当てるためのモジュール９１８と、割り当てられた送信電力で優先順位付けされたデータを送信するためのモジュール９２０とを含む。
【００８０】
図１０は、ワイヤレスシステムにおいてデータを送信するための処理１１００の設計を示す。処理１０００は、（以下で説明するように）基地局／ｅＮＢによって、又は他の何らかのエンティティによって実行されうる。基地局は、ＵＥからの少なくとも１つの搬送波におけるアップリンク送信を受信することができる（ブロック１０１２）。ＵＥは電力を制限されており、少なくとも１つの基準に基づいて、アップリンク送信において送られるデータを優先順位付けすることができる。基地局は、アップリンク送信において送られたデータを復元するために、受信したアップリンク送信を処理することができる（ブロック１０１４）。
【００８１】
アップリンク送信において送られるデータは、様々な方式で優先順位付けされうる。１つの設計において、アップリンク送信において送られるデータは、複数のデータ・タイプのデータを備え、様々なデータ・タイプの優先順位に基づいて優先順位付けされうる。アップリンク送信は、複数の搬送波において送られうる。１つの設計において、マルチキャリア動作の場合、アップリンク送信において送られるデータは、搬送波の優先順位に基づいて優先順位付けされうる。別の設計において、アップリンク送信において送られるデータは、様々なデータ・タイプの優先順位に基づいて優先順位付けされうる。また別の設計において、各データ・タイプのデータは、搬送波の優先順位に基づいて優先順位付けされうる。アップリンク送信において送られるデータは、他の方式でも優先順位付けされうる。基地局は、搬送波の優先順位を伝達するシグナリングを送ることができる。あるいはＵＥが搬送波の優先順位を決定することができる。
【００８２】
基地局は、各搬送波におけるＵＥのための目標受信信号品質を得るために、その搬送波における（例えば、参照信号のための）ＵＥの送信電力を調整することができる。ＵＥは、（例えば、参照信号のために）調整された送信電力に基づいて決定された送信電力で、各搬送波においてデータを送信することができる。
【００８３】
図１１は、ワイヤレス通信ステムにおいてデータを受信するための装置１１００の設計を示す。装置１１００は、電力を制限されており、少なくとも１つの基準に基づいてアップリンク送信において送られるデータの優先順位を付けるＵＥからの少なくとも１つの搬送波におけるアップリンク送信を受信するためのモジュール１１１２と、アップリンク送信において送られたデータを復元するために受信したアップリンク送信を処理するためのモジュール１１１４とを含む。
【００８４】
図９及び図１１におけるモジュールは、プロセッサ、電子工学デバイス、ハードウェア・デバイス、電子工学部品、論理回路、メモリ、ソフトウェア・コード、ファームウェア・コード等、又はそれらの任意の組み合わせを備えることができる。
【００８５】
図１２は、図１における基地局／ｅＮＢ１１０及びＵＥ１２０の設計のブロック図を示す。ＵＥ１２０は、Ｔ個のアンテナ１２３４ａ乃至１２３４ｔを備え、ｅＮＢ１１０は、Ｒ個のアンテナ１２５２ａ乃至１２５２ｒを備えることができ、一般に、Ｔ≧１かつＲ≧１である。
【００８６】
ＵＥ１２０において、送信プロセッサ１２２０は、データ・ソース１２１２からのトラヒック・データを受信し、１つ又は複数の変調及びコーディング・スキームに基づいてトラヒック・データを処理（例えば、符号化及び変調）し、データ・シンボルを提供することができる。送信プロセッサ１２２０はまた、コントローラ／プロセッサ１２４０からの制御データ／ＵＣＩ（例えば、ＡＣＫ／ＮＡＣＫ、ＣＱＩ、スケジューリング要求、ＰＩ、ＰＭＩ等）を処理し、制御シンボルを提供することもできる。送信プロセッサ１２２０はまた、パイロット又は参照信号のための参照シンボルを生成することもできる。送信（ＴＸ）ＭＩＭＯプロセッサ１２３０は、適用可能であれば、送信プロセッサ１２２０からのデータ・シンボル、制御シンボル、及び／又は参照シンボルに空間処理（例えば、プリコーディング）を実行し、Ｔ個の出力シンボル・ストリームをＴ個の変調器（ＭＯＤ）１２３２ａ乃至１２３２ｔへ提供することができる。各変調器１２３２は、出力サンプル・ストリームを取得するために（例えば、ＳＣ−ＦＤＭＡ、ＯＦＤＭ等に関して）それぞれの出力シンボル・ストリームを処理することができる。各変調器１２３２は、アップリンク信号を取得するために出力サンプル・ストリームを更に処理（例えば、アナログ変換、増幅、フィルタ、及びアップコンバート）することができる。変調器１２３２ａ乃至１２３２ｔからのＴ個のアップリンク信号が、Ｔ個のアンテナ１２３４ａ乃至１２３４ｔからそれぞれ送信されうる。
【００８７】
ｅＮＢ１１０において、アンテナ１２５２ａ乃至１２５２ｒは、ＵＥ１２０からのアップリンク信号を受信し、受信信号を復調器（ＤＥＭＯＤ）１２５４ａ乃至１２５４ｒへそれぞれ提供することができる。各復調器１２５４は、受信サンプルを取得するためにそれぞれの受信信号を調整（例えば、フィルタ、増幅、ダウンコンバート、及びデジタル化）することができる。各復調器１２５４は、受信シンボルを取得するために（例えば、ＳＣ−ＦＤＭＡ、ＯＦＤＭ等に関して）受信サンプルを更に処理することができる。ＭＩＭＯ検出器１２５６は、Ｒ個の復調器１２５４ａ乃至１２５４ｒ全てからの受信シンボルを取得し、適用可能であれば受信シンボルにＭＩＭＯ検出を実行し、検出されたシンボルを提供することができる。受信プロセッサ１２５８は、検出されたシンボルを処理（例えば、復調及び復号）し、復号されたトラヒック・データをデータ・シンク１２６０へ提供し、復号された制御データをコントローラ／プロセッサ１２８０へ提供することができる。
【００８８】
ダウンリンクにおいて、ｅＮＢ１１０において、データ・ソース１２６２からのトラヒック・データ及び／又はコントローラ／プロセッサ１２８０からの制御データ（例えば、許可）が、送信プロセッサ１２６４によって処理され、適用可能であればＴＸ  ＭＩＭＯプロセッサ１２６６によってプリコードされ、変調器１２５４ａ乃至１２５４ｒによって調整され、ＵＥ１２０へ送信されうる。ＵＥ１２０において、ｅＮＢ１１０からのダウンリンク信号がアンテナ１２３４によって受信され、復調器１２３２によって調整され、適用可能であればＭＩＭＯ検出器１２３６によって処理され、ＵＥ１２０へ送信されたトラヒック・データ及び制御データを取得するために受信プロセッサ１２３８によって更に処理されうる。プロセッサ１２３８は、復号されたトラヒック・データをデータ・シンク１２３９へ提供し、復号された制御データをプロセッサ１２４０へ提供することができる。
【００８９】
コントローラ／プロセッサ１２４０及び１２８０はそれぞれ、ＵＥ１２０及びｅＮＢ１１０での動作を指示することができる。プロセッサ１２４０及び／又はＵＥ１２０の他のプロセッサ及びモジュールは、図５の処理５００、図６の処理６００、図７の処理７００、図８の処理８００、及び／又は本明細書で説明された技術のための他の処理を実行あるいは指示することができる。プロセッサ１２８０及び／又はｅＮＢ１１０の他のプロセッサ及びモジュールは、図１０の処理１０００及び／又は本明細書で説明された技術のための他の処理を実行あるいは指示することができる。メモリ１２４２及び１２８２はそれぞれ、ＵＥ１２０及びｅＮＢ１１０のためのデータ及びプログラム・コードを格納することができる。スケジューラ１２８４は、ダウンリンク及び／又はアップリンクの送信のためにＵＥをスケジュールし、スケジュールされたＵＥのためのリソース割当てを提供することができる。
【００９０】
当業者は、情報及び信号が、様々な異なる技術及び技法のうちの任意のものを用いて表されうることを理解するであろう。例えば、上記説明を通して参照されうるデータ、命令、コマンド、情報、信号、ビット、シンボル、及びチップは、電圧、電流、電磁波、磁場あるいは磁気粒子、光場あるいは光学粒子、又はそれらの任意の組み合わせによって表すことができる。
【００９１】
当業者は更に、本明細書における開示と関連して説明された様々な例示的論理ブロック、モジュール、回路、及びアルゴリズム・ステップが、電子工学的ハードウェア、コンピュータ・ソフトウェア、又はそれらの組み合わせとして実現されうることを理解するであろう。このハードウェアとソフトウェアとの相互置換性を明確に示すために、様々な例示的構成要素、ブロック、モジュール、回路、及びステップが、それらの機能の観点から一般的に上述された。そのような機能がハードウェアとして実現されるかソフトウェアとして実現されるかは、特定の用途又はシステム全体に課された設計制約に依存する。当業者は、各特定の用途のために様々な方法で上述の機能を実現することができるが、そのような実現の決定は、本開示の範囲から逸脱させるように解釈されるべきではない。
【００９２】
本明細書における開示に関連して説明された様々な例示的論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいは他のプログラマブル論理デバイス、ディスクリート・ゲートあるいはトランジスタ・ロジック、ディスクリート・ハードウェア部品、又は、本明細書において説明された機能を実行するように設計されたそれらの任意の組み合わせによって実現又は実行されうる。汎用プロセッサとしてマイクロプロセッサを用いることができるが、その代わりに、従来型プロセッサ、コントローラ、マイクロコントローラ、又はステート・マシンを用いることもできる。プロセッサはまた、例えばＤＳＰとマイクロプロセッサとの組み合わせ、複数のマイクロプロセッサ、ＤＳＰコアに接続された１つ又は複数のマイクロプロセッサ、又は他の任意のそのような構成として実装されることもできる。
【００９３】
本明細書における開示に関連して説明されたアルゴリズム又は方法のステップは、ハードウェアによって直接、プロセッサによって実行されるソフトウェア・モジュールによって、又は両者の組み合わせによって具現化されうる。ソフトウェア・モジュールは、RAMメモリ、フラッシュ・メモリ、ROMメモリ、EPROMメモリ、EEPROMメモリ、レジスタ、ハード・ディスク、リムーバブル・ディスク、ＣＤ−ＲＯＭ、又は当該技術において周知である他の任意の形式の記憶媒体に収納されうる。典型的な記憶媒体は、プロセッサがそこから情報を読み取り、またそこへ情報を書き込むことができるように、プロセッサに接続される。あるいは記憶媒体は、プロセッサに統合されうる。プロセッサ及び記憶媒体は、ＡＳＩＣ内に存在することができる。ＡＳＩＣは、ユーザ端末内に存在することができる。あるいはプロセッサ及び記憶媒体は、ユーザ端末内の別々の部品として存在することもできる。
【００９４】
１つ又は複数の典型的な設計において、説明された機能は、ハードウェア、ソフトウェア、ファームウェア、又はそれらの任意の組み合わせによって実現されうる。ソフトウェアによって実現される場合、機能は、コンピュータ読み取り可能媒体上の１つ又は複数の命令又はコードとして格納又は送信されうる。コンピュータ読み取り可能媒体は、１つの場所から別の場所へのコンピュータ・プログラムの転送を可能にする任意の媒体を含む通信媒体及びコンピュータ記憶媒体の両方を含む。記憶媒体は、汎用コンピュータ又は専用コンピュータによってアクセスすることができる任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭあるいは他の光学ディスク記憶媒体、磁気ディスク記憶媒体あるいは他の磁気記憶デバイス、又は、命令あるいはデータ構成の形式で所望のプログラム・コード手段を搬送又は格納するために用いることができ、汎用プロセッサあるいは専用プロセッサによってアクセスすることができる他の任意の媒体を備えることができる。また、任意の接続がコンピュータ読取可能媒体として適宜称される。例えば、ソフトウェアが、同軸ケーブル、光ファイバ・ケーブル、ツイスト・ペア、デジタル加入者線（ＤＳＬ）、又は例えば赤外線、ラジオ、及びマイクロ波のようなワイヤレス技術を用いて、ウェブサイト、サーバ、又は他の遠隔ソースから送信される場合、同軸ケーブル、光ファイバ・ケーブル、ツイスト・ペア、ＤＳＬ、又は例えば赤外線、ラジオ、及びマイクロ波のようなワイヤレス技術は媒体の定義に含まれる。ディスク（disk）及びディスク（disc）は、本明細書において用いられる場合、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）ディスク（disk）、及びブルーレイ（登録商標）ディスク（disc）を含み、ディスク（disk）が通常データを磁気的に再生するのに対し、ディスク（disc）はレーザを用いてデータを光学的に再生する。上記の組み合わせもまた、コンピュータ読取可能媒体の範囲に含まれるべきである。
【００９５】
本開示の上記説明は、当業者をして、本開示の製造又は利用を可能にするために提供された。本開示に対する様々な変形例が当業者には容易に明らかとなり、本明細書において定義された一般原理は、本開示の精神又は範囲から逸脱することなく他の変形例にて供することができる。従って本開示は、本明細書において説明された設計及び例に限定されることは意図されておらず、本明細書において開示された原理及び新規特徴と整合が取れた最も広い範囲と一致するように意図されている。
【図１】
2014171252.tif 000010
【図２】
2014171252.tif 000011
【図３】
2014171252.tif 000012
【図４】
2014171252.tif 000013
【図５】
2014171252.tif 000014
【図６】
2014171252.tif 000015
【図７】
2014171252.tif 000016
【図８】
2014171252.tif 000017
【図９】
2014171252.tif 000018
【図１０】
2014171252.tif 000019
【図１１】
2014171252.tif 000020
【図１２】
2014171252.tif 000021
【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）において、アップリンクのための少なくとも１つの搬送波において送信するデータを取得することと、
前記少なくとも１つの搬送波における送信に関して前記ＵＥが電力を制限されていることを決定することと、
前記ＵＥが電力を制限されていることに応答して、少なくとも１つの基準に基づいて、前記送信するデータを優先順位付けすることと
を備え、
前記送信するデータは、複数のデータ・タイプのデータを備え、前記複数のデータ・タイプの優先順位と前記搬送波の優先順位とに基づいて送信電力を割り当てられる、方法。
【請求項２】
前記ＵＥが電力を制限されていることを決定することは、
前記送信するデータのために必要な送信電力の合計を決定することと、
前記必要な送信電力の合計が、前記ＵＥの利用可能な送信電力を上回ることに基づいて、前記ＵＥが電力を制限されていることを決定することと
を備える、請求項１に記載の方法。
【請求項３】
前記少なくとも１つの基準は、チャネル・タイプ、データ・タイプ、制御データ・タイプ、トラヒック・データ・タイプ、搬送波の優先順位、シグナリング・タイプ、又はそれらの組み合わせを備える、請求項１に記載の方法。
【請求項４】
前記送信するデータを優先順位付けすることは、データ・タイプに基づいて、前記送信するデータを優先順位付けすることを備え、制御データはトラヒック・データよりも高い優先順位を有する、請求項１に記載の方法。
【請求項５】
トラヒック・データと多重化された制御データはトラヒック・データよりも高い優先順位を有する、請求項１に記載の方法。
【請求項６】
前記送信するデータを優先順位付けすることは、制御データ・タイプに基づいて、前記送信するデータを優先順位付けすることを備え、アクノレッジメント／ネガティブ・アクノレッジメント（ACK／NACK）は、チャネル品質インジケータ（CQI）、スケジューリング要求、ランク・インジケータ（RI）、プリコーディング・マトリクス・インジケータ（PMI）、又はそれらの組み合わせよりも高い優先順位を有する、請求項１に記載の方法。
【請求項７】
前記送信するデータを優先順位付けすることは、トラヒック・データ・タイプに基づいて、前記送信するデータを優先順位付けすることを備え、遅延センシティブなトラヒック・データは遅延耐性トラヒック・データよりも高い優先順位を有する、請求項１に記載の方法。
【請求項８】
前記送信するデータを優先順位付けすることは、チャネル・タイプに基づいて、前記送信するデータを優先順位付けすることを備え、制御チャネルのためのデータは、データ・チャネルのためのデータよりも高い優先順位を有する、請求項１に記載の方法。
【請求項９】
前記送信するデータを優先順位付けすることは、シグナリング・タイプに基づいて、前記送信するデータを優先順位付けすることを備え、上位層シグナリングのためのデータは、物理層のためのデータよりも高い優先順位を有する、請求項１に記載の方法。
【請求項１０】
前記上位層シグナリングは、無線リソース制御（RRC）シグナリング、媒体アクセス制御（MAC）シグナリング、又はその両方を備える、請求項９に記載の方法。
【請求項１１】
前記送信するデータは、複数のデータ・タイプのデータを備え、前記方法は、
最も高い優先順位のデータ・タイプから順に、一度に１つのデータ・タイプの前記送信するデータに、利用可能な送信電力を割り当てることを更に備える、請求項１に記載の方法。
【請求項１２】
複数の搬送波が前記アップリンクのために利用可能であり、前記複数の搬送波の中から１つの搬送波が、前記アップリンクにおいて制御データを搬送するために指定される、請求項１に記載の方法。
【請求項１３】
前記送信するデータは、前記複数の搬送波の優先順位に基づいて優先順位付けされ、前記アップリンクにおいて制御データを搬送するために指定された搬送波は、前記複数の搬送波の中で最も高い優先順位を有する、請求項１２に記載の方法。
【請求項１４】
前記少なくとも１つの搬送波は、複数の搬送波を含む、請求項１に記載の方法。
【請求項１５】
前記送信するデータを優先順位付けすることは、前記複数の搬送波の優先順位に基づいて、前記送信するデータを優先順位付けすることを備え、より高い優先順位の搬送波のためのデータは、より低い優先順位の搬送波のためのデータよりも高い優先順位を有する、請求項１４に記載の方法。
【請求項１６】
前記複数の搬送波の優先順位は、各搬送波に関する受信信号品質、各搬送波のための変調及びコーディング・スキーム、各搬送波において送信するデータの優先順位、各搬送波において予想される干渉、各搬送波における負荷、各搬送波において割り当てられたリソースの量、又はそれらの組み合わせに基づいて決定される、請求項１５に記載の方法。
【請求項１７】
前記複数の搬送波に、最も高い優先順位の搬送波から順に一度に１つの搬送波に対し、利用可能な送信電力を割り当てることを更に備える、請求項１５に記載の方法。
【請求項１８】
前記送信するデータは、複数のデータ・タイプのデータを備える、請求項１４に記載の方法。
【請求項１９】
前記送信するデータを優先順位付けすることは、
前記複数のデータ・タイプの優先順位に基づいて、前記送信するデータを優先順位付けすることと、
前記複数の搬送波の優先順位に基づいて、各データ・タイプのデータを優先順位付けすることと
を備える、請求項１８に記載の方法。
【請求項２０】
前記送信するデータを優先順位付けすることは、
前記複数の搬送波の優先順位に基づいて、前記送信するデータを優先順位付けすることと、
前記複数のデータ・タイプの優先順位に基づいて、各搬送波のためのデータを優先順位付けすることと
を備える、請求項１８に記載の方法。
【請求項２１】
前記複数のデータ・タイプの優先順位と前記複数の搬送波の優先順位とに基づいて、利用可能な送信電力を前記送信するデータに割り当てることを更に備える、請求項１８に記載の方法。
【請求項２２】
最も高い優先順位のデータ・タイプから順に、一度に１つのデータ・タイプの前記送信するデータに、利用可能な送信電力を割り当てることと、
前記複数の搬送波の優先順位に基づいて、前記利用可能な送信電力を各データ・タイプのデータに割り当てることと
を更に備える、請求項１８に記載の方法。
【請求項２３】
各搬送波のためのデータに、前記データのために必要な送信電力に基づいて、送信電力を割り当てることを更に備える、請求項１４に記載の方法。
【請求項２４】
前記送信電力を割り当てることは、各搬送波のスケーリング係数に更に基づいて、前記搬送波のためのデータに、送信電力を割り当てることを備える、請求項２３に記載の方法。
【請求項２５】
前記各搬送波のスケーリング係数は、前記搬送波の優先順位、前記搬送波において送信するデータのデータ・タイプ、前記搬送波において送信するデータの優先順位、又はそれらの組み合わせに基づいて決定される、請求項２４に記載の方法。
【請求項２６】
前記送信電力を割り当てることは、前記複数の搬送波において送信するデータのために必要な送信電力の合計、前記ＵＥの利用可能な送信電力、又はその両方に更に基づいて、各搬送波のためのデータに送信電力を割り当てることを備える、請求項２３に記載の方法。
【請求項２７】
前記複数の搬送波の優先順位を伝達するシグナリングを受信することを更に備える、請求項１５に記載の方法。
【請求項２８】
高い優先順位のデータを送信するために前記複数の搬送波のうちの１つを選択することを更に備え、前記選択される搬送波は、高い優先順位の搬送波として指定されている、請求項１５に記載の方法。
【請求項２９】
ワイヤレス通信のための装置であって、
ユーザ機器（ＵＥ）において、アップリンクのための少なくとも１つの搬送波において送信するデータを取得するための手段と、
前記少なくとも１つの搬送波における送信に関して、前記ＵＥが電力を制限されていることを決定するための手段と、
前記ＵＥが電力を制限されていることに応答して、少なくとも１つの基準に基づいて、前記送信するデータを優先順位付けするための手段と
を備え、
前記送信するデータは、複数のデータ・タイプのデータを備え、前記複数のデータ・タイプの優先順位と前記搬送波の優先順位とに基づいて送信電力を割り当てられる、装置。
【請求項３０】
前記送信するデータは複数のデータ・タイプのデータを備え、
最も高い優先順位のデータ・タイプから順に、一度に１つのデータ・タイプの前記送信するデータに、利用可能な送信電力を割り当てるための手段を更に備える、請求項２９に記載の装置。
【請求項３１】
前記少なくとも１つの搬送波は複数の搬送波を備え、前記送信するデータを優先順位付けするための手段は、前記複数の搬送波の優先順位に基づいて、前記送信するデータを優先順位付けするための手段を備え、より高い優先順位の搬送波のためのデータは、より低い優先順位の搬送波のためのデータよりも高い優先順位を有する、請求項２９に記載の装置。
【請求項３２】
前記少なくとも１つの搬送波は複数の搬送波を備え、前記送信するデータは複数のデータ・タイプのデータを備え、前記装置は、
前記複数のデータ・タイプの優先順位と前記複数の搬送波の優先順位とに基づいて、利用可能な送信電力を前記送信するデータに割り当てるための手段を更に備える、請求項２９に記載の装置。
【請求項３３】
前記少なくとも１つの搬送波は複数の搬送波を備え、前記装置は、
各搬送波のためのデータに、前記データのために必要な送信電力と前記搬送波のためのスケーリング係数とに基づいて、送信電力を割り当てるための手段を更に備える、請求項２９に記載の装置。
【請求項３４】
ワイヤレス通信のための装置であって、
ユーザ機器（ＵＥ）において、アップリンクのための少なくとも１つの搬送波において送信するデータを取得し、前記少なくとも１つの搬送波における送信に関して、前記ＵＥが電力を制限されていることを決定し、前記ＵＥが電力を制限されていることに応答して、少なくとも１つの基準に基づいて、前記送信するデータを優先順位付けするように構成された少なくとも１つのプロセッサを備え、
前記送信するデータは、複数のデータ・タイプのデータを備え、前記複数のデータ・タイプの優先順位と前記搬送波の優先順位とに基づいて送信電力を割り当てられる、装置。
【請求項３５】
前記送信するデータは複数のデータ・タイプのデータを備え、前記少なくとも１つのプロセッサは、最も高い優先順位のデータ・タイプから順に、一度に１つのデータ・タイプの前記送信するデータに、利用可能な送信電力を割り当てるように構成される、請求項３４に記載の装置。
【請求項３６】
前記少なくとも１つの搬送波は複数の搬送波を備え、前記少なくとも１つのプロセッサは、前記複数の搬送波の優先順位に基づいて、前記送信するデータを優先順位付けするように構成され、より高い優先順位の搬送波のためのデータは、より低い優先順位の搬送波のためのデータよりも高い優先順位を有する、請求項３４に記載の装置。
【請求項３７】
前記少なくとも１つの搬送波は複数の搬送波を備え、前記送信するデータは複数のデータ・タイプのデータを備え、前記少なくとも１つのプロセッサは、前記複数のデータ・タイプの優先順位と前記複数の搬送波の優先順位とに基づいて、利用可能な送信電力を前記送信するデータに割り当てるように構成される、請求項３４に記載の装置。
【請求項３８】
前記少なくとも１つの搬送波は複数の搬送波を備え、前記少なくとも１つのプロセッサは、各搬送波のためのデータに、前記データのために必要な送信電力と各搬送波のスケーリング係数とに基づいて、送信電力を割り当てるように構成される、請求項３４に記載の装置。
【請求項３９】
少なくとも１つのコンピュータに、ユーザ機器（ＵＥ）において、アップリンクのための少なくとも１つの搬送波において送信するデータを取得させるためのコードと、
前記少なくとも１つのコンピュータに、前記少なくとも１つの搬送波における送信に関して前記ＵＥが電力を制限されていることを決定させるためのコードと、
前記少なくとも１つのコンピュータに、前記ＵＥが電力を制限されていることに応答して、少なくとも１つの基準に基づいて、前記送信するデータを優先順位付けさせるためのコードと
を備え、
前記送信するデータは、複数のデータ・タイプのデータを備え、前記複数のデータ・タイプの優先順位と前記搬送波の優先順位とに基づいて送信電力を割り当てられる、コンピュータ・プログラム。
【請求項４０】
ワイヤレス通信のための方法であって、
ユーザ機器（ＵＥ）からの少なくとも１つの搬送波におけるアップリンク送信を受信することと、ここで、前記ＵＥは、電力が制限されており、少なくとも１つの基準に基づいて前記アップリンク送信において送信されるデータを優先順位付けし、
前記アップリンク送信において送信されたデータを復元するために、前記受信したアップリンク送信を処理することと
を備え、
前記アップリンク送信において送信されるデータは、複数のデータ・タイプのデータを備え、前記複数のデータ・タイプの優先順位と前記搬送波の優先順位とに基づいて送信電力を割り当てられる、方法。
【請求項４１】
前記アップリンク送信において送信されるデータは、複数のデータ・タイプのデータを備え、前記複数のデータ・タイプの優先順位に基づいて優先順位付けされる、請求項４０に記載の方法。
【請求項４２】
前記少なくとも１つの搬送波は複数の搬送波を備え、各データ・タイプのデータは、前記複数の搬送波の優先順位に基づいて優先順位付けされる、請求項４１に記載の方法。
【請求項４３】
前記少なくとも１つの搬送波は複数の搬送波を備え、前記アップリンク送信において送信されるデータは、前記複数の搬送波の優先順位に基づいて優先順位付けされる、請求項４０に記載の方法。
【請求項４４】
前記搬送波における前記ＵＥのための目標受信信号品質を得るために、前記複数の搬送波の各々における前記ＵＥの送信電力を調整することを更に備える、請求項４３に記載の方法。
【請求項４５】
前記複数の搬送波の優先順位を伝達するシグナリングを送信することを更に備える、請求項４３に記載の方法。
【請求項４６】
ワイヤレス通信のための装置であって、
ユーザ機器（ＵＥ）からの少なくとも１つの搬送波におけるアップリンク送信を受信するための手段と、ここで、前記ＵＥは、電力が制限されており、少なくとも１つの基準に基づいて前記アップリンク送信において送信されるデータを優先順位付けし、
前記アップリンク送信において送信されたデータを復元するために、前記受信したアップリンク送信を処理するための手段と
を備え、
前記アップリンク送信において送信されるデータは、複数のデータ・タイプのデータを備え、前記複数のデータ・タイプの優先順位と前記搬送波の優先順位とに基づいて送信電力を割り当てられる、装置。
【請求項４７】
前記アップリンク送信において送信されるデータは、複数のデータ・タイプのデータを備え、前記複数のデータ・タイプの優先順位に基づいて優先順位付けされる、請求項４６に記載の装置。
【請求項４８】
前記少なくとも１つの搬送波は複数の搬送波を備え、前記アップリンク送信において送信されるデータは、前記複数の搬送波の優先順位に基づいて優先順位付けされる、請求項４６に記載の装置。
【手続補正２】
【補正対象書類名】明細書
【補正対象項目名】００９５
【補正方法】変更
【補正の内容】
【００９５】
本開示の上記説明は、当業者をして、本開示の製造又は利用を可能にするために提供された。本開示に対する様々な変形例が当業者には容易に明らかとなり、本明細書において定義された一般原理は、本開示の精神又は範囲から逸脱することなく他の変形例にて供することができる。従って本開示は、本明細書において説明された設計及び例に限定されることは意図されておらず、本明細書において開示された原理及び新規特徴と整合が取れた最も広い範囲と一致するように意図されている。
以下に、本願の出願当初請求項に記載された発明を付記する。
［Ｃ１］
ワイヤレス通信のための方法であって、
ユーザ機器（ＵＥ）において、アップリンクのための少なくとも１つの搬送波において送信するデータを取得することと、
前記少なくとも１つの搬送波における送信に関して前記ＵＥが電力を制限されていることを決定することと、
前記ＵＥが電力を制限されていることに応答して、少なくとも１つの基準に基づいて、前記送信するデータを優先順位付けすることと
を備える方法。
［Ｃ２］
前記ＵＥが電力を制限されていることを決定することは、
前記送信するデータのために必要な送信電力の合計を決定することと、
前記必要な送信電力の合計が、前記ＵＥの利用可能な送信電力を上回ることに基づいて、前記ＵＥが電力を制限されていることを決定することと
を備える、上記Ｃ１に記載の方法。
［Ｃ３］
前記少なくとも１つの基準は、チャネル・タイプ、データ・タイプ、制御データ・タイプ、トラヒック・データ・タイプ、搬送波の優先順位、シグナリング・タイプ、又はそれらの組み合わせを備える、上記Ｃ１に記載の方法。
［Ｃ４］
前記送信するデータを優先順位付けすることは、データ・タイプに基づいて、前記送信するデータを優先順位付けすることを備え、制御データはトラヒック・データよりも高い優先順位を有する、上記Ｃ１に記載の方法。
［Ｃ５］
トラヒック・データと多重化された制御データはトラヒック・データよりも高い優先順位を有する、上記Ｃ１に記載の方法。
［Ｃ６］
前記送信するデータを優先順位付けすることは、制御データ・タイプに基づいて、前記送信するデータを優先順位付けすることを備え、アクノレッジメント／ネガティブ・アクノレッジメント（ACK／NACK）は、チャネル品質インジケータ（CQI）、スケジューリング要求、ランク・インジケータ（RI）、プリコーディング・マトリクス・インジケータ（PMI）、又はそれらの組み合わせよりも高い優先順位を有する、上記Ｃ１に記載の方法。
［Ｃ７］
前記送信するデータを優先順位付けすることは、トラヒック・データ・タイプに基づいて、前記送信するデータを優先順位付けすることを備え、遅延センシティブなトラヒック・データは遅延耐性トラヒック・データよりも高い優先順位を有する、上記Ｃ１に記載の方法。
［Ｃ８］
前記送信するデータを優先順位付けすることは、チャネル・タイプに基づいて、前記送信するデータを優先順位付けすることを備え、制御チャネルのためのデータは、データ・チャネルのためのデータよりも高い優先順位を有する、上記Ｃ１に記載の方法。
［Ｃ９］
前記送信するデータを優先順位付けすることは、シグナリング・タイプに基づいて、前記送信するデータを優先順位付けすることを備え、上位層シグナリングのためのデータは、物理層のためのデータよりも高い優先順位を有する、上記Ｃ１に記載の方法。
［Ｃ１０］
前記上位層シグナリングは、無線リソース制御（RRC）シグナリング、媒体アクセス制御（MAC）シグナリング、又はその両方を備える、上記Ｃ９に記載の方法。
［Ｃ１１］
前記送信するデータは、複数のデータ・タイプのデータを備え、前記方法は、
最も高い優先順位のデータ・タイプから順に、一度に１つのデータ・タイプの前記送信するデータに、利用可能な送信電力を割り当てることを更に備える、上記Ｃ１に記載の方法。
［Ｃ１２］
複数の搬送波が前記アップリンクのために利用可能であり、前記複数の搬送波の中から１つの搬送波が、前記アップリンクにおいて制御データを搬送するために指定される、上記Ｃ１に記載の方法。
［Ｃ１３］
前記送信するデータは、前記複数の搬送波の優先順位に基づいて優先順位付けされ、前記アップリンクにおいて制御データを搬送するために指定された搬送波は、前記複数の搬送波の中で最も高い優先順位を有する、上記Ｃ１２に記載の方法。
［Ｃ１４］
前記少なくとも１つの搬送波は、複数の搬送波を含む、上記Ｃ１に記載の方法。
［Ｃ１５］
前記送信するデータを優先順位付けすることは、前記複数の搬送波の優先順位に基づいて、前記送信するデータを優先順位付けすることを備え、より高い優先順位の搬送波のためのデータは、より低い優先順位の搬送波のためのデータよりも高い優先順位を有する、上記Ｃ１４に記載の方法。
［Ｃ１６］
前記複数の搬送波の優先順位は、各搬送波に関する受信信号品質、各搬送波のための変調及びコーディング・スキーム、各搬送波において送信するデータの優先順位、各搬送波において予想される干渉、各搬送波における負荷、各搬送波において割り当てられたリソースの量、又はそれらの組み合わせに基づいて決定される、上記Ｃ１５に記載の方法。
［Ｃ１７］
前記複数の搬送波に、最も高い優先順位の搬送波から順に一度に１つの搬送波に対し、利用可能な送信電力を割り当てることを更に備える、上記Ｃ１５に記載の方法。
［Ｃ１８］
前記送信するデータは、複数のデータ・タイプのデータを備える、上記Ｃ１４に記載の方法。
［Ｃ１９］
前記送信するデータを優先順位付けすることは、
前記複数のデータ・タイプの優先順位に基づいて、前記送信するデータを優先順位付けすることと、
前記複数の搬送波の優先順位に基づいて、各データ・タイプのデータを優先順位付けすることと
を備える、上記Ｃ１８に記載の方法。
［Ｃ２０］
前記送信するデータを優先順位付けすることは、
前記複数の搬送波の優先順位に基づいて、前記送信するデータを優先順位付けすることと、
前記複数のデータ・タイプの優先順位に基づいて、各搬送波のためのデータを優先順位付けすることと
を備える、上記Ｃ１８に記載の方法。
［Ｃ２１］
前記複数のデータ・タイプの優先順位と前記複数の搬送波の優先順位とに基づいて、利用可能な送信電力を前記送信するデータに割り当てることを更に備える、上記Ｃ１８に記載の方法。
［Ｃ２２］
最も高い優先順位のデータ・タイプから順に、一度に１つのデータ・タイプの前記送信するデータに、利用可能な送信電力を割り当てることと、
前記複数の搬送波の優先順位に基づいて、前記利用可能な送信電力を各データ・タイプのデータに割り当てることと
を更に備える、上記Ｃ１８に記載の方法。
［Ｃ２３］
各搬送波のためのデータに、前記データのために必要な送信電力に基づいて、送信電力を割り当てることを更に備える、上記Ｃ１４に記載の方法。
［Ｃ２４］
前記送信電力を割り当てることは、各搬送波のスケーリング係数に更に基づいて、前記搬送波のためのデータに、送信電力を割り当てることを備える、上記Ｃ２３に記載の方法。
［Ｃ２５］
前記各搬送波のスケーリング係数は、前記搬送波の優先順位、前記搬送波において送信するデータのデータ・タイプ、前記搬送波において送信するデータの優先順位、又はそれらの組み合わせに基づいて決定される、上記Ｃ２４に記載の方法。
［Ｃ２６］
前記送信電力を割り当てることは、前記複数の搬送波において送信するデータのために必要な送信電力の合計、前記ＵＥの利用可能な送信電力、又はその両方に更に基づいて、各搬送波のためのデータに送信電力を割り当てることを備える、上記Ｃ２３に記載の方法。
［Ｃ２７］
前記複数の搬送波の優先順位を伝達するシグナリングを受信することを更に備える、上記Ｃ１５に記載の方法。
［Ｃ２８］
高い優先順位のデータを送信するために前記複数の搬送波のうちの１つを選択することを更に備え、前記選択される搬送波は、高い優先順位の搬送波として指定されている、上記Ｃ１５に記載の方法。
［Ｃ２９］
ワイヤレス通信のための装置であって、
ユーザ機器（ＵＥ）において、アップリンクのための少なくとも１つの搬送波において送信するデータを取得するための手段と、
前記少なくとも１つの搬送波における送信に関して、前記ＵＥが電力を制限されていることを決定するための手段と、
前記ＵＥが電力を制限されていることに応答して、少なくとも１つの基準に基づいて、前記送信するデータを優先順位付けするための手段と
を備える装置。
［Ｃ３０］
前記送信するデータは複数のデータ・タイプのデータを備え、
最も高い優先順位のデータ・タイプから順に、一度に１つのデータ・タイプの前記送信するデータに、利用可能な送信電力を割り当てるための手段を更に備える、上記Ｃ２９に記載の装置。
［Ｃ３１］
前記少なくとも１つの搬送波は複数の搬送波を備え、前記送信するデータを優先順位付けするための手段は、前記複数の搬送波の優先順位に基づいて、前記送信するデータを優先順位付けするための手段を備え、より高い優先順位の搬送波のためのデータは、より低い優先順位の搬送波のためのデータよりも高い優先順位を有する、上記Ｃ２９に記載の装置。
［Ｃ３２］
前記少なくとも１つの搬送波は複数の搬送波を備え、前記送信するデータは複数のデータ・タイプのデータを備え、前記装置は、
前記複数のデータ・タイプの優先順位と前記複数の搬送波の優先順位とに基づいて、利用可能な送信電力を前記送信するデータに割り当てるための手段を更に備える、上記Ｃ２９に記載の装置。
［Ｃ３３］
前記少なくとも１つの搬送波は複数の搬送波を備え、前記装置は、
各搬送波のためのデータに、前記データのために必要な送信電力と前記搬送波のためのスケーリング係数とに基づいて、送信電力を割り当てるための手段を更に備える、上記Ｃ２９に記載の装置。
［Ｃ３４］
ワイヤレス通信のための装置であって、
ユーザ機器（ＵＥ）において、アップリンクのための少なくとも１つの搬送波において送信するデータを取得し、前記少なくとも１つの搬送波における送信に関して、前記ＵＥが電力を制限されていることを決定し、前記ＵＥが電力を制限されていることに応答して、少なくとも１つの基準に基づいて、前記送信するデータを優先順位付けするように構成された少なくとも１つのプロセッサを備える装置。
［Ｃ３５］
前記送信するデータは複数のデータ・タイプのデータを備え、前記少なくとも１つのプロセッサは、最も高い優先順位のデータ・タイプから順に、一度に１つのデータ・タイプの前記送信するデータに、利用可能な送信電力を割り当てるように構成される、上記Ｃ３４に記載の装置。
［Ｃ３６］
前記少なくとも１つの搬送波は複数の搬送波を備え、前記少なくとも１つのプロセッサは、前記複数の搬送波の優先順位に基づいて、前記送信するデータを優先順位付けするように構成され、より高い優先順位の搬送波のためのデータは、より低い優先順位の搬送波のためのデータよりも高い優先順位を有する、上記Ｃ３４に記載の装置。
［Ｃ３７］
前記少なくとも１つの搬送波は複数の搬送波を備え、前記送信するデータは複数のデータ・タイプのデータを備え、前記少なくとも１つのプロセッサは、前記複数のデータ・タイプの優先順位と前記複数の搬送波の優先順位とに基づいて、利用可能な送信電力を前記送信するデータに割り当てるように構成される、上記Ｃ３４に記載の装置。
［Ｃ３８］
前記少なくとも１つの搬送波は複数の搬送波を備え、前記少なくとも１つのプロセッサは、各搬送波のためのデータに、前記データのために必要な送信電力と各搬送波のスケーリング係数とに基づいて、送信電力を割り当てるように構成される、上記Ｃ３４に記載の装置。
［Ｃ３９］
少なくとも１つのコンピュータに、ユーザ機器（ＵＥ）において、アップリンクのための少なくとも１つの搬送波において送信するデータを取得させるためのコードと、
前記少なくとも１つのコンピュータに、前記少なくとも１つの搬送波における送信に関して前記ＵＥが電力を制限されていることを決定させるためのコードと、
前記少なくとも１つのコンピュータに、前記ＵＥが電力を制限されていることに応答して、少なくとも１つの基準に基づいて、前記送信するデータを優先順位付けさせるためのコードと
を備えるコンピュータ読取可能媒体を備えるコンピュータ・プログラム製品。
［Ｃ４０］
ワイヤレス通信のための方法であって、
ユーザ機器（ＵＥ）からの少なくとも１つの搬送波におけるアップリンク送信を受信することと、ここで、前記ＵＥは、電力が制限されており、少なくとも１つの基準に基づいて前記アップリンク送信において送信されるデータを優先順位付けし、
前記アップリンク送信において送信されたデータを復元するために、前記受信したアップリンク送信を処理することと
を備える、方法。
［Ｃ４１］
前記アップリンク送信において送信されるデータは、複数のデータ・タイプのデータを備え、前記複数のデータ・タイプの優先順位に基づいて優先順位付けされる、上記Ｃ４０に記載の方法。
［Ｃ４２］
前記少なくとも１つの搬送波は複数の搬送波を備え、各データ・タイプのデータは、前記複数の搬送波の優先順位に基づいて優先順位付けされる、上記Ｃ４１に記載の方法。
［Ｃ４３］
前記少なくとも１つの搬送波は複数の搬送波を備え、前記アップリンク送信において送信されるデータは、前記複数の搬送波の優先順位に基づいて優先順位付けされる、上記Ｃ４０に記載の方法。
［Ｃ４４］
前記搬送波における前記ＵＥのための目標受信信号品質を得るために、前記複数の搬送波の各々における前記ＵＥの送信電力を調整することを更に備える、上記Ｃ４３に記載の方法。
［Ｃ４５］
前記複数の搬送波の優先順位を伝達するシグナリングを送信することを更に備える、上記Ｃ４３に記載の方法。
［Ｃ４６］
ワイヤレス通信のための装置であって、
ユーザ機器（ＵＥ）からの少なくとも１つの搬送波におけるアップリンク送信を受信するための手段と、ここで、前記ＵＥは、電力が制限されており、少なくとも１つの基準に基づいて前記アップリンク送信において送信されるデータを優先順位付けし、
前記アップリンク送信において送信されたデータを復元するために、前記受信したアップリンク送信を処理するための手段と
を備える、装置。
［Ｃ４７］
前記アップリンク送信において送信されるデータは、複数のデータ・タイプのデータを備え、前記複数のデータ・タイプの優先順位に基づいて優先順位付けされる、上記Ｃ４６に記載の装置。
［Ｃ４８］
前記少なくとも１つの搬送波は複数の搬送波を備え、前記アップリンク送信において送信されるデータは、前記複数の搬送波の優先順位に基づいて優先順位付けされる、上記Ｃ４６に記載の装置。
【外国語明細書】
2014171252000001.pdf